(57)【要約】  変倍光学系（ＺＬ）は、物体側から順に並んだ、正の屈折力を有する第１レンズ群（Ｇ１）と、負の屈折力を有する第２レンズ群（Ｇ２）と、正の屈折力を有する第３レンズ群（Ｇ３）と、正の屈折力を有する第４レンズ群（Ｇ４）と、第５レンズ群（Ｇ５）と、第６レンズ群（Ｇ６）とを有し、変倍の際に、隣り合う各レンズ群の間隔が変化し、以下の条件式を満足する。  １．００＜Ｍｖ４／Ｍｖ３＜３．００  但し、Ｍｖ３：広角端状態から望遠端状態への変倍の際の第３レンズ群（Ｇ３）の移動量（物体側への移動量の符号を＋とする）        Ｍｖ４：広角端状態から望遠端状態への変倍の際の第４レンズ群（Ｇ４）の移動量（物体側への移動量の符号を＋とする）
2020157904.tif 000002
【特許請求の範囲】
【請求項１】
物体側から順に並んだ、正の屈折力を有する第１レンズ群と、負の屈折力を有する第２レンズ群と、正の屈折力を有する第３レンズ群と、正の屈折力を有する第４レンズ群と、第５レンズ群と、第６レンズ群とを有し、
変倍の際に、隣り合う各レンズ群の間隔が変化し、
以下の条件式を満足する変倍光学系。
１．００＜Ｍｖ４／Ｍｖ３＜３．００
但し、Ｍｖ３：広角端状態から望遠端状態への変倍の際の前記第３レンズ群の移動量（物体側への移動量の符号を＋とする）
Ｍｖ４：広角端状態から望遠端状態への変倍の際の前記第４レンズ群の移動量（物体側への移動量の符号を＋とする）
【請求項２】
以下の条件式を満足する請求項１に記載の変倍光学系。
０．００＜Ｍｖ２／ｆｗ＜１０．００
但し、Ｍｖ２：広角端状態から望遠端状態への変倍の際の前記第２レンズ群の移動量（物体側への移動量の符号を＋とする）
ｆｗ：広角端状態における前記変倍光学系の焦点距離
【請求項３】
以下の条件式を満足する請求項１または２に記載の変倍光学系。
３．００＜ｆｔ／ｆｗ＜３０．００
但し、ｆｔ：望遠端状態における前記変倍光学系の焦点距離
ｆｗ：広角端状態における前記変倍光学系の焦点距離
【請求項４】
以下の条件式を満足する請求項１〜３のいずれか一項に記載の変倍光学系。
３５．０°＜ωｗ＜７５．０°
但し、ωｗ：広角端状態における前記変倍光学系の半画角
【請求項５】
以下の条件式を満足する請求項１〜４のいずれか一項に記載の変倍光学系。
２．５°＜ωｔ＜１５．０°
但し、ωｔ：望遠端状態における前記変倍光学系の半画角
【請求項６】
以下の条件式を満足する請求項１〜５のいずれか一項に記載の変倍光学系。
−０．３０＜ｆｗ／ｆ１２３ｗ＜０．６０
但し、ｆｗ：広角端状態における前記変倍光学系の焦点距離
ｆ１２３ｗ：広角端状態における前記第１レンズ群と前記第２レンズ群と前記第３レンズ群との合成焦点距離
【請求項７】
以下の条件式を満足する請求項１〜６のいずれか一項に記載の変倍光学系。
−１．５０＜ｆｔ／ｆ１２３ｔ＜１．００
但し、ｆｔ：望遠端状態における前記変倍光学系の焦点距離
ｆ１２３ｔ：望遠端状態における前記第１レンズ群と前記第２レンズ群と前記第３レンズ群との合成焦点距離
【請求項８】
以下の条件式を満足する請求項１〜７のいずれか一項に記載の変倍光学系。
０．２０＜ＢＦｗ／ｆｗ＜０．６０
但し、ＢＦｗ：広角端状態における前記変倍光学系の最も像側のレンズ面から像面までの距離
ｆｗ：広角端状態における前記変倍光学系の焦点距離
【請求項９】
合焦の際に、前記第５レンズ群が像面に対して移動する請求項１〜８のいずれか一項に記載の変倍光学系。
【請求項１０】
前記第５レンズ群は、少なくとも１枚の正レンズと、少なくとも１枚の負レンズとを有する請求項１〜９のいずれか一項に記載の変倍光学系。
【請求項１１】
以下の条件式を満足する請求項１〜１０のいずれか一項に記載の変倍光学系。
１．００＜（−ｆ５）／ｆｗ＜１６．００
但し、ｆ５：前記第５レンズ群の焦点距離
ｆｗ：広角端状態における前記変倍光学系の焦点距離
【請求項１２】
以下の条件式を満足する請求項１〜１１のいずれか一項に記載の変倍光学系。
１．００＜Ｍｖ５／Ｍｖ６＜３．００
但し、Ｍｖ５：広角端状態から望遠端状態への変倍の際の前記第５レンズ群の移動量（物体側への移動量の符号を＋とする）
Ｍｖ６：広角端状態から望遠端状態への変倍の際の前記第６レンズ群の移動量（物体側への移動量の符号を＋とする）
【請求項１３】
変倍の際、前記第１レンズ群が像面に対して移動する請求項１〜１２のいずれか一項に記載の変倍光学系。
【請求項１４】
前記第１レンズ群は、３枚以上のレンズからなる請求項１〜１３のいずれか一項に記載の変倍光学系。
【請求項１５】
以下の条件式を満足する請求項１〜１４のいずれか一項に記載の変倍光学系。
０．３０＜Ｍｖ１／（ｆｔ−ｆｗ）＜０．８０
但し、Ｍｖ１：広角端状態から望遠端状態への変倍の際の前記第１レンズ群の移動量（物体側への移動量の符号を＋とする）
ｆｔ：望遠端状態における前記変倍光学系の焦点距離
ｆｗ：広角端状態における前記変倍光学系の焦点距離
【請求項１６】
前記第６レンズ群に空気レンズが設けられ、
以下の条件式を満足する請求項１〜１５のいずれか一項に記載の変倍光学系。
０．００＜（ＲＡｒ２＋ＲＡｒ１）／（ＲＡｒ２−ＲＡｒ１）＜２．００
但し、ＲＡｒ１：前記第６レンズ群の前記空気レンズにおける物体側のレンズ面の曲率半径
ＲＡｒ２：前記第６レンズ群の前記空気レンズにおける像側のレンズ面の曲率半径
【請求項１７】
変倍の際に、少なくとも、前記第１レンズ群と、前記第３レンズ群と、前記第４レンズ群と、前記第５レンズ群と、前記第６レンズ群とが像面に対して移動する請求項１〜１６のいずれか一項に記載の変倍光学系。
【請求項１８】
変倍の際に移動するレンズ群は、広角端状態から望遠端状態への変倍の際に物体側へ移動する請求項１〜１７のいずれか一項に記載の変倍光学系。
【請求項１９】
請求項１〜１８のいずれかに記載の変倍光学系を搭載して構成される光学機器。
【請求項２０】
物体側から順に並んだ、正の屈折力を有する第１レンズ群と、負の屈折力を有する第２レンズ群と、正の屈折力を有する第３レンズ群と、正の屈折力を有する第４レンズ群と、第５レンズ群と、第６レンズ群とを有した変倍光学系の製造方法であって、
変倍の際に、隣り合う各レンズ群の間隔が変化し、
以下の条件式を満足するように、
レンズ鏡筒内に各レンズを配置する変倍光学系の製造方法。
１．００＜Ｍｖ４／Ｍｖ３＜３．００
但し、Ｍｖ３：広角端状態から望遠端状態への変倍の際の前記第３レンズ群の移動量（物体側への移動量の符号を＋とする）
Ｍｖ４：広角端状態から望遠端状態への変倍の際の前記第４レンズ群の移動量（物体側への移動量の符号を＋とする）
【発明の詳細な説明】
【技術分野】
【０００１】
本発明は、変倍光学系、これを用いた光学機器およびこの変倍光学系の製造方法に関する。
【背景技術】
【０００２】
従来から、写真用カメラ、電子スチルカメラ、ビデオカメラ等に適した変倍光学系が提案されている（例えば、特許文献１を参照）。変倍光学系の高変倍化、広画角化を図ると、良好な光学性能を得ることが難しく、変倍光学系が大型化する傾向があった。
【先行技術文献】
【特許文献】
【０００３】
【特許文献１】特開平９−１８４９８１号公報
【発明の概要】
【０００４】
第１の態様に係る変倍光学系は、物体側から順に並んだ、正の屈折力を有する第１レンズ群と、負の屈折力を有する第２レンズ群と、正の屈折力を有する第３レンズ群と、正の屈折力を有する第４レンズ群と、第５レンズ群と、第６レンズ群とを有し、変倍の際に、隣り合う各レンズ群の間隔が変化し、以下の条件式を満足する。
１．００＜Ｍｖ４／Ｍｖ３＜３．００
但し、Ｍｖ３：広角端状態から望遠端状態への変倍の際の前記第３レンズ群の移動量（物体側への移動量の符号を＋とする）
Ｍｖ４：広角端状態から望遠端状態への変倍の際の前記第４レンズ群の移動量（物体側への移動量の符号を＋とする）
【０００５】
第２の態様に係る光学機器は、上記変倍光学系を搭載して構成される。
【０００６】
第３の態様に係る変倍光学系の製造方法は、物体側から順に並んだ、正の屈折力を有する第１レンズ群と、負の屈折力を有する第２レンズ群と、正の屈折力を有する第３レンズ群と、正の屈折力を有する第４レンズ群と、第５レンズ群と、第６レンズ群とを有した変倍光学系の製造方法であって、変倍の際に、隣り合う各レンズ群の間隔が変化し、以下の条件式を満足するように、レンズ鏡筒内に各レンズを配置する。
１．００＜Ｍｖ４／Ｍｖ３＜３．００
但し、Ｍｖ３：広角端状態から望遠端状態への変倍の際の前記第３レンズ群の移動量（物体側への移動量の符号を＋とする）
Ｍｖ４：広角端状態から望遠端状態への変倍の際の前記第４レンズ群の移動量（物体側への移動量の符号を＋とする）
【図面の簡単な説明】
【０００７】
【図１】第１実施例に係る変倍光学系の広角端状態における無限遠合焦時のレンズ構成図である。
【図２】図２（Ａ）、および図２（Ｂ）はそれぞれ、第１実施例に係る変倍光学系の広角端状態、および望遠端状態における無限遠合焦時の諸収差図である。
【図３】図３（Ａ）、および図３（Ｂ）はそれぞれ、第１実施例に係る変倍光学系の広角端状態、および望遠端状態におけるブレ補正を行った際のコマ収差図である。
【図４】第２実施例に係る変倍光学系の広角端状態における無限遠合焦時のレンズ構成図である。
【図５】図５（Ａ）、および図５（Ｂ）はそれぞれ、第２実施例に係る変倍光学系の広角端状態、および望遠端状態における無限遠合焦時の諸収差図である。
【図６】図６（Ａ）、および図６（Ｂ）はそれぞれ、第２実施例に係る変倍光学系の広角端状態、および望遠端状態におけるブレ補正を行った際のコマ収差図である。
【図７】第３実施例に係る変倍光学系の広角端状態における無限遠合焦時のレンズ構成図である。
【図８】図８（Ａ）、および図８（Ｂ）はそれぞれ、第３実施例に係る変倍光学系の広角端状態、および望遠端状態における無限遠合焦時の諸収差図である。
【図９】図９（Ａ）、および図９（Ｂ）はそれぞれ、第３実施例に係る変倍光学系の広角端状態、および望遠端状態におけるブレ補正を行った際のコマ収差図である。
【図１０】第４実施例に係る変倍光学系の広角端状態における無限遠合焦時のレンズ構成図である。
【図１１】図１１（Ａ）、および図１１（Ｂ）はそれぞれ、第４実施例に係る変倍光学系の広角端状態、および望遠端状態における無限遠合焦時の諸収差図である。
【図１２】図１２（Ａ）、および図１２（Ｂ）はそれぞれ、第４実施例に係る変倍光学系の広角端状態、および望遠端状態におけるブレ補正を行った際のコマ収差図である。
【図１３】第５実施例に係る変倍光学系の広角端状態における無限遠合焦時のレンズ構成図である。
【図１４】図１４（Ａ）、および図１４（Ｂ）はそれぞれ、第５実施例に係る変倍光学系の広角端状態、および望遠端状態における無限遠合焦時の諸収差図である。
【図１５】図１５（Ａ）、および図１５（Ｂ）はそれぞれ、第５実施例に係る変倍光学系の広角端状態、および望遠端状態におけるブレ補正を行った際のコマ収差図である。
【図１６】第６実施例に係る変倍光学系の広角端状態における無限遠合焦時のレンズ構成図である。
【図１７】図１７（Ａ）、および図１７（Ｂ）はそれぞれ、第６実施例に係る変倍光学系の広角端状態、および望遠端状態における無限遠合焦時の諸収差図である。
【図１８】図１８（Ａ）、および図１８（Ｂ）はそれぞれ、第６実施例に係る変倍光学系の広角端状態、および望遠端状態におけるブレ補正を行った際のコマ収差図である。
【図１９】第７実施例に係る変倍光学系の広角端状態における無限遠合焦時のレンズ構成図である。
【図２０】図２０（Ａ）、および図２０（Ｂ）はそれぞれ、第７実施例に係る変倍光学系の広角端状態、および望遠端状態における無限遠合焦時の諸収差図である。
【図２１】図２１（Ａ）、および図２１（Ｂ）はそれぞれ、第７実施例に係る変倍光学系の広角端状態、および望遠端状態におけるブレ補正を行った際のコマ収差図である。
【図２２】第８実施例に係る変倍光学系の広角端状態における無限遠合焦時のレンズ構成図である。
【図２３】図２３（Ａ）、および図２３（Ｂ）はそれぞれ、第８実施例に係る変倍光学系の広角端状態、および望遠端状態における無限遠合焦時の諸収差図である。
【図２４】図２４（Ａ）、および図２４（Ｂ）はそれぞれ、第８実施例に係る変倍光学系の広角端状態、および望遠端状態におけるブレ補正を行った際のコマ収差図である。
【図２５】第９実施例に係る変倍光学系の広角端状態における無限遠合焦時のレンズ構成図である。
【図２６】図２６（Ａ）、および図２６（Ｂ）はそれぞれ、第９実施例に係る変倍光学系の広角端状態、および望遠端状態における無限遠合焦時の諸収差図である。
【図２７】図２７（Ａ）、および図２７（Ｂ）はそれぞれ、第９実施例に係る変倍光学系の広角端状態、および望遠端状態におけるブレ補正を行った際のコマ収差図である。
【図２８】第１０実施例に係る変倍光学系の広角端状態における無限遠合焦時のレンズ構成図である。
【図２９】図２９（Ａ）、および図２９（Ｂ）はそれぞれ、第１０実施例に係る変倍光学系の広角端状態、および望遠端状態における無限遠合焦時の諸収差図である。
【図３０】図３０（Ａ）、および図３０（Ｂ）はそれぞれ、第１０実施例に係る変倍光学系の広角端状態、および望遠端状態におけるブレ補正を行った際のコマ収差図である。
【図３１】第１１実施例に係る変倍光学系の広角端状態における無限遠合焦時のレンズ構成図である。
【図３２】図３２（Ａ）、および図３２（Ｂ）はそれぞれ、第１１実施例に係る変倍光学系の広角端状態、および望遠端状態における無限遠合焦時の諸収差図である。
【図３３】図３３（Ａ）、および図３３（Ｂ）はそれぞれ、第１１実施例に係る変倍光学系の広角端状態、および望遠端状態におけるブレ補正を行った際のコマ収差図である。
【図３４】第１２実施例に係る変倍光学系の広角端状態における無限遠合焦時のレンズ構成図である。
【図３５】図３５（Ａ）、および図３５（Ｂ）はそれぞれ、第１２実施例に係る変倍光学系の広角端状態、および望遠端状態における無限遠合焦時の諸収差図である。
【図３６】図３６（Ａ）、および図３６（Ｂ）はそれぞれ、第１２実施例に係る変倍光学系の広角端状態、および望遠端状態におけるブレ補正を行った際のコマ収差図である。
【図３７】第１３実施例に係る変倍光学系の広角端状態における無限遠合焦時のレンズ構成図である。
【図３８】図３８（Ａ）、および図３８（Ｂ）はそれぞれ、第１３実施例に係る変倍光学系の広角端状態、および望遠端状態における無限遠合焦時の諸収差図である。
【図３９】図３９（Ａ）、および図３９（Ｂ）はそれぞれ、第１３実施例に係る変倍光学系の広角端状態、および望遠端状態におけるブレ補正を行った際のコマ収差図である。
【図４０】本実施形態に係る変倍光学系を備えたカメラの構成を示す図である。
【図４１】本実施形態に係る変倍光学系の製造方法を示すフローチャートである。
【発明を実施するための形態】
【０００８】
以下、本実施形態に係る変倍光学系および光学機器について図を参照して説明する。まず、本実施形態に係る変倍光学系を備えたカメラ（光学機器）を図４０に基づいて説明する。このカメラ１は、図４０に示すように撮影レンズ２として本実施形態に係る変倍光学系を備えたデジタルカメラである。カメラ１において、不図示の物体（被写体）からの光は、撮影レンズ２で集光されて、撮像素子３へ到達する。これにより被写体からの光は、当該撮像素子３によって撮像されて、被写体画像として不図示のメモリに記録される。このようにして、撮影者はカメラ１による被写体の撮影を行うことができる。なお、このカメラは、ミラーレスカメラでも、クイックリターンミラーを有した一眼レフタイプのカメラであっても良い。
【０００９】
次に、本実施形態に係る変倍光学系（撮影レンズ）について説明する。本実施形態に係る変倍光学系（ズームレンズ）ＺＬの一例としての変倍光学系ＺＬ（１）は、図１に示すように、物体側から順に並んだ、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、第５レンズ群Ｇ５と、第６レンズ群Ｇ６とを有している。変倍の際に、隣り合う各レンズ群の間隔が変化する。これにより、変倍の際の非点収差と球面収差の変動を抑えることができる。
【００１０】
上記構成の下、本実施形態に係る変倍光学系ＺＬは、以下の条件式（１）を満足する。
【００１１】
１．００＜Ｍｖ４／Ｍｖ３＜３．００  ・・・（１）
但し、Ｍｖ３：広角端状態から望遠端状態への変倍の際の第３レンズ群Ｇ３の移動量（物体側への移動量の符号を＋とする）
Ｍｖ４：広角端状態から望遠端状態への変倍の際の第４レンズ群Ｇ４の移動量（物体側への移動量の符号を＋とする）
【００１２】
本実施形態によれば、高い変倍比で良好な光学性能を有した変倍光学系、およびこの変倍光学系を備えた光学機器を得ることが可能になる。本実施形態に係る変倍光学系ＺＬは、図４に示す変倍光学系ＺＬ（２）でもよく、図７に示す変倍光学系ＺＬ（３）でもよく、図１０に示す変倍光学系ＺＬ（４）でもよく、図１３に示す変倍光学系ＺＬ（５）でもよい。また、本実施形態に係る変倍光学系ＺＬは、図１６に示す変倍光学系ＺＬ（６）でもよく、図１９に示す変倍光学系ＺＬ（７）でもよく、図２２に示す変倍光学系ＺＬ（８）でもよく、図２５に示す変倍光学系ＺＬ（９）でもよい。また、本実施形態に係る変倍光学系ＺＬは、図２８に示す変倍光学系ＺＬ（１０）でもよく、図３１に示す変倍光学系ＺＬ（１１）でもよく、図３７に示す変倍光学系ＺＬ（１３）でもよい。
【００１３】
条件式（１）は、広角端状態から望遠端状態への変倍の際の第３レンズ群Ｇ３の移動量と第４レンズ群Ｇ４の移動量との比を規定するものである。条件式（１）を満足することで、変倍の際の球面収差と像面湾曲の変動を抑えることができる。
【００１４】
条件式（１）の対応値が下限値を下回ると、変倍の際の像面湾曲の変動を抑えることが困難になる。条件式（１）の下限値を１．０５に設定することで、本実施形態の効果をより確実なものとすることができる。本実施形態の効果をさらに確実なものとするために、条件式（１）の下限値を、１．１０、１．１５、１．１８、１．２０、１．２３、１．２５、１．２８、１．３０、１．３３、さらに１．３５に設定してもよい。
【００１５】
条件式（１）の対応値が上限値を上回ると、広角端状態における像面湾曲の補正が困難になる。条件式（１）の上限値を２．８０に設定することで、本実施形態の効果をより確実なものとすることができる。本実施形態の効果をさらに確実なものとするために、条件式（１）の上限値を、２．５０、２．３０、２．００、１．８０、１．６５、１．６２、１．６０、１．５８、１．５５、１．５３、さらに１．５０に設定してもよい。
【００１６】
本実施形態に係る変倍光学系ＺＬは、以下の条件式（２）を満足することが望ましい。
【００１７】
０．００＜Ｍｖ２／ｆｗ＜１０．００  ・・・（２）
但し、Ｍｖ２：広角端状態から望遠端状態への変倍の際の第２レンズ群Ｇ２の移動量（物体側への移動量の符号を＋とする）
ｆｗ：広角端状態における変倍光学系ＺＬの焦点距離
【００１８】
条件式（２）は、広角端状態から望遠端状態への変倍の際の第２レンズ群Ｇ２の移動量を規定するものである。なお、条件式（２）は、広角端状態から望遠端状態への変倍の際に第２レンズ群Ｇ２が物体側へ移動することを意味する。条件式（２）を満足することで、望遠端状態における球面収差の補正を良好に行うことができる。
【００１９】
条件式（２）の対応値が下限値を下回ると、望遠端状態における球面収差の補正が困難になる。条件式（２）の下限値を０．０５に設定することで、本実施形態の効果をより確実なものとすることができる。本実施形態の効果をさらに確実なものとするために、条件式（２）の下限値を、０．０８、０．１０、０．１３、０．１５、０．１８、０．２０、０．２２、さらに０．２４に設定してもよい。
【００２０】
条件式（２）の対応値が上限値を上回ると、望遠端状態における球面収差の補正が困難になる。条件式（２）の上限値を８．００に設定することで、本実施形態の効果をより確実なものとすることができる。本実施形態の効果をさらに確実なものとするために、条件式（２）の上限値を、５．００、３．００、２．５０、２．２０、２．００、１．８０、１．５０、１．３０、１．１０、０．９５、０．９０、０．８５、０．８０、０．７５、さらに０．７０に設定してもよい。
【００２１】
本実施形態に係る変倍光学系ＺＬは、以下の条件式（３）を満足することが望ましい。
【００２２】
３．００＜ｆｔ／ｆｗ＜３０．００  ・・・（３）
但し、ｆｔ：望遠端状態における変倍光学系ＺＬの焦点距離
ｆｗ：広角端状態における変倍光学系ＺＬの焦点距離
【００２３】
条件式（３）は、変倍光学系ＺＬの変倍比を規定するものである。条件式（３）を満足することで、高い変倍比において、本実施形態の効果を最大限に発揮することが可能になる。条件式（３）の下限値を３．３０に設定することで、本実施形態の効果をより確実なものとすることができる。本実施形態の効果をさらに確実なものとするために、条件式（３）の下限値を、３．５０、４．００、４．５０、５．００、６．００、さらに７．００に設定してもよい。また、条件式（３）の上限値を２５．００に設定することで、本実施形態の効果をより確実なものとすることができる。本実施形態の効果をさらに確実なものとするために、条件式（３）の上限値を、２０．００、１５．００、１０．００、９．００、さらに８．００に設定してもよい。
【００２４】
本実施形態に係る変倍光学系ＺＬは、以下の条件式（４）を満足することが望ましい。
【００２５】
３５．０°＜ωｗ＜７５．０°  ・・・（４）
但し、ωｗ：広角端状態における変倍光学系ＺＬの半画角
【００２６】
条件式（４）は、広角端状態における変倍光学系ＺＬの半画角を規定するものである。条件式（４）を満足することで、像面湾曲を良好に補正することができる。条件式（４）の下限値を３８．０°に設定することで、本実施形態の効果をより確実なものとすることができる。本実施形態の効果をさらに確実なものとするために、条件式（４）の下限値を４０．０°に設定してもよい。また、条件式（４）の上限値を７０．０°に設定することで、本実施形態の効果をより確実なものとすることができる。本実施形態の効果をさらに確実なものとするために、条件式（４）の上限値を、６０．０°、５０．０°、さらに４５．０°に設定してもよい。
【００２７】
本実施形態に係る変倍光学系ＺＬは、以下の条件式（５）を満足することが望ましい。
【００２８】
２．５°＜ωｔ＜１５．０°  ・・・（５）
但し、ωｔ：望遠端状態における変倍光学系ＺＬの半画角
【００２９】
条件式（５）は、望遠端状態における変倍光学系ＺＬの半画角を規定するものである。条件式（５）を満足することで、高い変倍比において、本実施形態の効果を最大限に発揮することが可能になる。条件式（５）の下限値を４．０°に設定することで、本実施形態の効果をより確実なものとすることができる。本実施形態の効果をさらに確実なものとするために、条件式（５）の下限値を５．０°、さらに５．５°に設定してもよい。また、条件式（５）の上限値を１３．０°に設定することで、本実施形態の効果をより確実なものとすることができる。本実施形態の効果をさらに確実なものとするために、条件式（５）の上限値を、１２．０°、１１．０°、１０．０°、さらに９．０°に設定してもよい。
【００３０】
本実施形態に係る変倍光学系ＺＬは、以下の条件式（６）を満足することが望ましい。
【００３１】
−０．３０＜ｆｗ／ｆ１２３ｗ＜０．６０  ・・・（６）
但し、ｆｗ：広角端状態における変倍光学系ＺＬの焦点距離
ｆ１２３ｗ：広角端状態における第１レンズ群Ｇ１と第２レンズ群Ｇ２と第３レンズ群Ｇ３との合成焦点距離
【００３２】
条件式（６）は、広角端状態における、変倍光学系ＺＬの焦点距離と、第１レンズ群Ｇ１と第２レンズ群Ｇ２と第３レンズ群Ｇ３との合成焦点距離との比を規定するものである。なお、条件式（６）は、広角端状態において、第１レンズ群Ｇ１と第２レンズ群Ｇ２と第３レンズ群Ｇ３とで略アフォーカルとなることを意味する。条件式（６）を満足することで、広角端状態における球面収差と像面湾曲を良好に補正することができる。
【００３３】
条件式（６）の対応値が下限値を下回ると、広角端状態における球面収差の補正が困難になる。条件式（６）の下限値を−０．２８に設定することで、本実施形態の効果をより確実なものとすることができる。本実施形態の効果をさらに確実なものとするために、条件式（６）の下限値を、−０．２５、−０．２０、−０．１５、さらに−０．１２に設定してもよい。
【００３４】
条件式（６）の対応値が上限値を上回ると、広角端状態における球面収差の補正が困難になる。条件式（６）の上限値を０．５５に設定することで、本実施形態の効果をより確実なものとすることができる。本実施形態の効果をさらに確実なものとするために、条件式（６）の上限値を、０．５０、０．４５、０．４０、０．３５、０．３０、０．２５、０．２０、０．１５、０．１０、さらに０．０５に設定してもよい。
【００３５】
本実施形態に係る変倍光学系ＺＬは、以下の条件式（７）を満足することが望ましい。
【００３６】
−１．５０＜ｆｔ／ｆ１２３ｔ＜１．００  ・・・（７）
但し、ｆｔ：望遠端状態における変倍光学系ＺＬの焦点距離
ｆ１２３ｔ：望遠端状態における第１レンズ群Ｇ１と第２レンズ群Ｇ２と第３レンズ群Ｇ３との合成焦点距離
【００３７】
条件式（７）は、望遠端状態における、変倍光学系ＺＬの焦点距離と、第１レンズ群Ｇ１と第２レンズ群Ｇ２と第３レンズ群Ｇ３との合成焦点距離との比を規定するものである。なお、条件式（７）は、望遠端状態において、第１レンズ群Ｇ１と第２レンズ群Ｇ２と第３レンズ群Ｇ３とで略アフォーカルとなることを意味する。条件式（７）を満足することで、望遠端状態における球面収差と像面湾曲を良好に補正することができる。
【００３８】
条件式（７）の対応値が下限値を下回ると、望遠端状態における球面収差の補正が困難になる。条件式（７）の下限値を−１．３５に設定することで、本実施形態の効果をより確実なものとすることができる。本実施形態の効果をさらに確実なものとするために、条件式（７）の下限値を、−１．００、−０．９０、さらに−０．８０に設定してもよい。
【００３９】
条件式（７）の対応値が上限値を上回ると、望遠端状態における球面収差の補正が困難になる。条件式（７）の上限値を０．５０に設定することで、本実施形態の効果をより確実なものとすることができる。本実施形態の効果をさらに確実なものとするために、条件式（７）の上限値を、０．２０、０．１０、−０．１０、さらに−０．２０に設定してもよい。
【００４０】
本実施形態に係る変倍光学系ＺＬは、以下の条件式（８）を満足することが望ましい。
【００４１】
０．２０＜ＢＦｗ／ｆｗ＜０．６０  ・・・（８）
但し、ＢＦｗ：広角端状態における変倍光学系ＺＬの最も像側のレンズ面から像面までの距離
ｆｗ：広角端状態における変倍光学系ＺＬの焦点距離
【００４２】
条件式（８）は、広角端状態における変倍光学系ＺＬのバックフォーカスと変倍光学系ＺＬの焦点距離との比を規定するものである。条件式（８）を満足することで、広角端状態における像面湾曲の補正を効率よく行うことができる。
【００４３】
条件式（８）の対応値が下限値を下回ると、広角端状態における像面湾曲の補正が困難になる。条件式（８）の下限値を０．２５に設定することで、本実施形態の効果をより確実なものとすることができる。本実施形態の効果をさらに確実なものとするために、条件式（８）の下限値を、０．３０、０．３５、０．３７、さらに０．４０に設定してもよい。
【００４４】
条件式（８）の対応値が上限値を上回ると、広角端状態における像面湾曲の補正が不十分となる。条件式（８）の上限値を０．５６に設定することで、本実施形態の効果をより確実なものとすることができる。本実施形態の効果をさらに確実なものとするために、条件式（８）の上限値を、０．５４、０．５２、さらに０．５０に設定してもよい。
【００４５】
本実施形態に係る変倍光学系ＺＬにおいて、合焦の際に、第５レンズ群Ｇ５が像面に対して移動することが望ましい。これにより、合焦の際の球面収差の変動を抑えることができる。
【００４６】
本実施形態に係る変倍光学系ＺＬにおいて、第５レンズ群Ｇ５は、少なくとも１枚の正レンズと、少なくとも１枚の負レンズとを有することが望ましい。これにより、合焦の際の像面湾曲の変動を抑えることができる。
【００４７】
本実施形態に係る変倍光学系ＺＬは、以下の条件式（９）を満足することが望ましい。
【００４８】
１．００＜（−ｆ５）／ｆｗ＜１６．００  ・・・（９）
但し、ｆ５：第５レンズ群Ｇ５の焦点距離
ｆｗ：広角端状態における変倍光学系ＺＬの焦点距離
【００４９】
条件式（９）は、第５レンズ群Ｇ５の焦点距離と広角端状態における変倍光学系ＺＬの焦点距離との比を規定するものである。条件式（９）を満足することで、合焦の際に発生する像面湾曲を良好に補正することができる。
【００５０】
条件式（９）の対応値が下限値を下回ると、合焦の際に発生する像面湾曲を抑えることが困難になる。また、合焦の際の第５レンズ群Ｇ５の移動量が大きくなるため、鏡筒が大型化する。条件式（９）の下限値を１．１０に設定することで、本実施形態の効果をより確実なものとすることができる。本実施形態の効果をさらに確実なものとするために、条件式（９）の下限値を、１．２０、１．３０、１．４０、さらに１．４５に設定してもよい。
【００５１】
条件式（９）の対応値が上限値を上回ると、合焦の際に発生する像面湾曲の補正が不十分となる。また、合焦の際の第５レンズ群Ｇ５の移動量が大きくなるため、鏡筒が大型化する。条件式（９）の上限値を１５．５０に設定することで、本実施形態の効果をより確実なものとすることができる。本実施形態の効果をさらに確実なものとするために、条件式（９）の上限値を、１０．００、８．００、５．００、４．００、３．００、２．４５、２．３８、２．３３、２．２８、２．２５、さらに２．１０に設定してもよい。
【００５２】
本実施形態に係る変倍光学系ＺＬは、以下の条件式（１０）を満足することが望ましい。
【００５３】
１．００＜Ｍｖ５／Ｍｖ６＜３．００  ・・・（１０）
但し、Ｍｖ５：広角端状態から望遠端状態への変倍の際の第５レンズ群Ｇ５の移動量（物体側への移動量の符号を＋とする）
Ｍｖ６：広角端状態から望遠端状態への変倍の際の第６レンズ群Ｇ６の移動量（物体側への移動量の符号を＋とする）
【００５４】
条件式（１０）は、広角端状態から望遠端状態への変倍の際における、第５レンズ群Ｇ５の移動量と第６レンズ群Ｇ６の移動量との比を規定するものである。条件式（１０）を満足することで、像面湾曲を良好に補正することができる。
【００５５】
条件式（１０）の対応値が下限値を下回ると、第５レンズ群Ｇ５で発生する像面湾曲を抑えることが困難になる。条件式（１０）の下限値を１．１０に設定することで、本実施形態の効果をより確実なものとすることができる。本実施形態の効果をさらに確実なものとするために、条件式（１０）の下限値を、１．２０、１．３０、さらに１．４０に設定してもよい。
【００５６】
条件式（１０）の対応値が上限値を上回ると、第５レンズ群Ｇ５での像面湾曲の補正が困難になる。条件式（１０）の上限値を２．５０に設定することで、本実施形態の効果をより確実なものとすることができる。本実施形態の効果をさらに確実なものとするために、条件式（１０）の上限値を、２．００、１．８０、さらに１．６０に設定してもよい。
【００５７】
本実施形態に係る変倍光学系ＺＬにおいて、変倍の際、第１レンズ群Ｇ１が像面に対して移動することが望ましい。これにより、高い変倍比を得ることが可能になる。
【００５８】
本実施形態に係る変倍光学系ＺＬにおいて、第１レンズ群Ｇ１は、３枚以上のレンズからなることが望ましい。これにより、特に望遠端状態において、球面収差を良好に補正することができる。また、高い変倍比を得ることが可能になる。
【００５９】
本実施形態に係る変倍光学系ＺＬは、以下の条件式（１１）を満足することが望ましい。
【００６０】
０．３０＜Ｍｖ１／（ｆｔ−ｆｗ）＜０．８０  ・・・（１１）
但し、Ｍｖ１：広角端状態から望遠端状態への変倍の際の第１レンズ群Ｇ１の移動量（物体側への移動量の符号を＋とする）
ｆｔ：望遠端状態における変倍光学系ＺＬの焦点距離
ｆｗ：広角端状態における変倍光学系ＺＬの焦点距離
【００６１】
条件式（１１）は、広角端状態から望遠端状態への変倍の際の焦点距離の変化に対する、第１レンズ群Ｇ１の移動量を規定するものである。条件式（１１）を満足することで、望遠端状態における球面収差と像面湾曲を良好に補正することができる。
【００６２】
条件式（１１）の対応値が下限値を下回ると、望遠端状態における球面収差の補正が困難になる。条件式（１１）の下限値を０．３２に設定することで、本実施形態の効果をより確実なものとすることができる。本実施形態の効果をさらに確実なものとするために、条件式（１１）の下限値を、０．３３、０．３４、さらに０．３５に設定してもよい。
【００６３】
条件式（１１）の対応値が上限値を上回ると、望遠端状態における像面湾曲の補正が困難になる。また、第１レンズ群Ｇ１の径が大きくなり、鏡筒の重量が大きくなる。条件式（１１）の上限値を０．７７に設定することで、本実施形態の効果をより確実なものとすることができる。本実施形態の効果をさらに確実なものとするために、条件式（１１）の上限値を、０．７０、０．６５、０．５８、０．５０、０．４５、さらに０．４０に設定してもよい。
【００６４】
本実施形態に係る変倍光学系ＺＬにおいて、第６レンズ群Ｇ６に空気レンズが設けられ、以下の条件式（１２）を満足することが望ましい。
【００６５】
０．００＜（ＲＡｒ２＋ＲＡｒ１）／（ＲＡｒ２−ＲＡｒ１）＜２．００
・・・（１２）
但し、ＲＡｒ１：第６レンズ群Ｇ６の空気レンズにおける物体側のレンズ面の曲率半径
ＲＡｒ２：第６レンズ群Ｇ６の空気レンズにおける像側のレンズ面の曲率半径
【００６６】
条件式（１２）は、第６レンズ群Ｇ６に設けられる空気レンズのシェイプファクターを規定するものである。条件式（１２）を満足することで、像面湾曲を良好に補正することができる。
【００６７】
条件式（１２）の対応値が下限値を下回ると、像面湾曲の補正が困難になる。条件式（１２）の下限値を０．０１に設定することで、本実施形態の効果をより確実なものとすることができる。本実施形態の効果をさらに確実なものとするために、条件式（１２）の下限値を、０．１０、０．２０、０．２８、０．３０、０．４０、さらに０．４５に設定してもよい。
【００６８】
条件式（１２）の対応値が上限値を上回ると、像面湾曲の補正が困難になる。条件式（１２）の上限値を１．９０に設定することで、本実施形態の効果をより確実なものとすることができる。本実施形態の効果をさらに確実なものとするために、条件式（１２）の上限値を、１．７０、１．５０、１．２０、さらに１．００に設定してもよい。
【００６９】
本実施形態に係る変倍光学系ＺＬにおいて、変倍の際に、少なくとも、第１レンズ群Ｇ１と、第３レンズ群Ｇ３と、第４レンズ群Ｇ４と、第５レンズ群Ｇ５と、第６レンズ群Ｇ６とが像面に対して移動することが望ましい。これにより、変倍の際の各レンズ群の倍率変動を大きくすることが可能になる。また、変倍の際に第３レンズ群Ｇ３で発生する収差を、第４レンズ群Ｇ４で補正することが可能になる。
【００７０】
本実施形態に係る変倍光学系ＺＬにおいて、変倍の際に移動するレンズ群は、広角端状態から望遠端状態への変倍の際に物体側へ移動することが望ましい。これにより、本実施形態の性能を満足する十分な変倍比を確保することができる。
【００７１】
続いて、図４１を参照しながら、本実施形態に係る変倍光学系ＺＬの製造方法について概説する。まず、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、第５レンズ群Ｇ５と、第６レンズ群Ｇ６とを配置する（ステップＳＴ１）。そして、変倍の際に、隣り合う各レンズ群の間隔が変化するように構成する（ステップＳＴ２）。また、少なくとも上記条件式（１）を満足するように、レンズ鏡筒内に各レンズを配置する（ステップＳＴ３）。このような製造方法によれば、高い変倍比で良好な光学性能を有した変倍光学系を製造することが可能になる。
【実施例】
【００７２】
以下、本実施形態の実施例に係る変倍光学系ＺＬを図面に基づいて説明する。図１、図４、図７、図１０、図１３、図１６、図１９、図２２、図２５、図２８、図３１、図３４、図３７は、第１〜第１３実施例に係る変倍光学系ＺＬ｛ＺＬ（１）〜ＺＬ（１３）｝の構成および屈折力配分を示す断面図である。なお、第１〜第１１実施例および第１３実施例は本実施形態に対応する実施例であり、第１２実施例は参考例である。各図には、広角端状態から望遠端状態への変倍の際に移動するレンズ群の光軸に沿った移動方向を矢印で示している。さらに、合焦群が無限遠から近距離物体に合焦する際の移動方向を、「合焦」という文字とともに矢印で示している。第３レンズ群Ｇ３の少なくとも一部が防振群として像ブレを補正する際の移動方向を、「防振」という文字とともに矢印で示している。【００７３】
これらの図（図１、図４、図７、図１０、図１３、図１６、図１９、図２２、図２５、図２８、図３１、図３４、図３７）において、各レンズ群を符号Ｇと数字の組み合わせにより、各レンズを符号Ｌと数字の組み合わせにより、それぞれ表している。この場合において、符号、数字の種類および数が大きくなって煩雑化するのを防止するため、実施例毎にそれぞれ独立して符号と数字の組み合わせを用いてレンズ群等を表している。このため、実施例間で同一の符号と数字の組み合わせが用いられていても、同一の構成であることを意味するものでは無い。【００７４】
以下に表１〜表１３を示すが、この内、表１は第１実施例、表２は第２実施例、表３は第３実施例、表４は第４実施例、表５は第５実施例、表６は第６実施例、表７は第７実施例、表８は第８実施例、表９は第９実施例、表１０は第１０実施例、表１１は第１１実施例、表１２は第１２実施例、表１３は第１３実施例における各諸元データを示す表である。各実施例では収差特性の算出対象として、ｄ線（波長λ＝５８７．６ｎｍ）、ｇ線（波長λ＝４３５．８ｎｍ）を選んでいる。【００７５】
［全体諸元］の表において、ＦＮОはＦナンバー、ωは半画角（単位は°（度））、Ｙは像高を示す。ＴＬは無限遠合焦時の光軸上でのレンズ最前面からレンズ最終面までの距離にＢＦを加えた距離を示し、ＢＦは無限遠合焦時の光軸上でのレンズ最終面から像面Ｉまでの空気換算距離（バックフォーカス）を示す。なお、これらの値は、広角端（Ｗ）、第１中間焦点距離（Ｍ１）、第２中間焦点距離（Ｍ２）、望遠端（Ｔ）の各変倍状態におけるそれぞれについて示している。また、［全体諸元］の表において、ｆ１２３ｗは、広角端状態における第１レンズ群Ｇ１と第２レンズ群Ｇ２と第３レンズ群Ｇ３との合成焦点距離を示す。ｆ１２３ｔは、望遠端状態における第１レンズ群Ｇ１と第２レンズ群Ｇ２と第３レンズ群Ｇ３との合成焦点距離を示す。【００７６】
［レンズ諸元］の表において、面番号は光線の進行する方向に沿った物体側からの光学面の順序を示し、Ｒは各光学面の曲率半径（曲率中心が像側に位置する面を正の値としている）、Ｄは各光学面から次の光学面（又は像面）までの光軸上の距離である面間隔、ｎｄは光学部材の材質のｄ線に対する屈折率、νｄは光学部材の材質のｄ線を基準とするアッベ数をそれぞれ示す。曲率半径の「∞」は平面又は開口を、（絞りＳ）は開口絞りを、それぞれ示す。空気の屈折率ｎｄ＝1.00000の記載は省略している。レンズ面が非球面である場合には面番号に＊印を付して曲率半径Ｒの欄には近軸曲率半径を示している。【００７７】
［非球面データ］の表には、［レンズ諸元］に示した非球面について、その形状を次式（Ａ）で示す。Ｘ（ｙ）は非球面の頂点における接平面から高さｙにおける非球面上の位置までの光軸方向に沿った距離（ザグ量）を、Ｒは基準球面の曲率半径（近軸曲率半径）を、κは円錐定数を、Ａｉは第ｉ次の非球面係数を示す。「Ｅ-n」は、「×１０-n」を示す。例えば、1.234E-05＝1.234×10-5である。なお、２次の非球面係数Ａ２は０であり、その記載を省略している。【００７８】
Ｘ（ｙ）＝（ｙ2／Ｒ）／｛１＋（１−κ×ｙ2／Ｒ2）1/2｝＋Ａ4×ｙ4＋Ａ6×ｙ6＋Ａ8×ｙ8＋Ａ10×ｙ10＋Ａ12×ｙ12  ・・・（Ａ）【００７９】
［レンズ群データ］の表には、各レンズ群のそれぞれの始面（最も物体側の面）と焦点距離を示す。【００８０】
［可変間隔データ］の表には、［レンズ諸元］を示す表において面間隔が「可変」となっている面番号での面間隔を示す。ここでは無限遠および近距離に合焦させたときのそれぞれについて、広角端（Ｗ）、第１中間焦点距離（Ｍ１）、第２中間焦点距離（Ｍ２）、望遠端（Ｔ）の各変倍状態における面間隔を示す。［可変間隔データ］において、ｆはレンズ全系の焦点距離、βは撮影倍率を示す。【００８１】
［条件式対応値］の表には、各条件式に対応する値を示す。【００８２】
以下、全ての諸元値において、掲載されている焦点距離ｆ、曲率半径Ｒ、面間隔Ｄ、その他の長さ等は、特記のない場合一般に「mm」が使われるが、光学系は比例拡大又は比例縮小しても同等の光学性能が得られるので、これに限られるものではない。【００８３】
ここまでの表の説明は全ての実施例において共通であり、以下での重複する説明は省略する。【００８４】
（第１実施例）
第１実施例について、図１〜図３および表１を用いて説明する。図１は、第１実施例に係る変倍光学系の広角端状態における無限遠合焦時のレンズ構成図である。第１実施例に係る変倍光学系ＺＬ（１）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図１の矢印で示す方向に移動し、隣り合う各レンズ群の間隔が変化する。なお、変倍の際、開口絞りＳと第３レンズ群Ｇ３と第６レンズ群Ｇ６とが一体的に移動する。各レンズ群記号に付けている符号（＋）もしくは（−）は各レンズ群の屈折力を示し、このことは以下の全ての実施例でも同様である。【００８５】
第１レンズ群Ｇ１は、物体側から順に並んだ、物体側に凸面を向けた負メニスカスレンズＬ１１と、両凸形状の正レンズＬ１２と、物体側に凸面を向けた正メニスカスレンズＬ１３とから構成される。【００８６】
第２レンズ群Ｇ２は、物体側から順に並んだ、物体側に凸面を向けた負メニスカスレンズＬ２１と、両凹形状の負レンズＬ２２と、両凸形状の正レンズＬ２３と、両凹形状の負レンズＬ２４とから構成される。【００８７】
第３レンズ群Ｇ３は、物体側から順に並んだ、両凸形状の正レンズＬ３１と、物体側に凸面を向けた負メニスカスレンズＬ３２と両凸形状の正レンズＬ３３との接合レンズと、物体側に凹面を向けた負メニスカスレンズＬ３４とから構成される。【００８８】
第４レンズ群Ｇ４は、物体側から順に並んだ、両凸形状の正レンズＬ４１と物体側に凹面を向けた負メニスカスレンズＬ４２との接合レンズと、物体側に凸面を向けた負メニスカスレンズＬ４３と両凸形状の正レンズＬ４４との接合レンズとから構成される。正レンズＬ４４は、像面Ｉ側のレンズ面が非球面である。【００８９】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【００９０】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。負メニスカスレンズＬ６１は、像面Ｉ側のレンズ面が非球面である。第６レンズ群Ｇ６の像側に、像面Ｉが配置される。【００９１】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【００９２】
以下の表１に、第１実施例に係る変倍光学系の諸元の値を掲げる。【００９３】
（表１）
［全体諸元］
変倍比  7.848
ｆ１２３ｗ＝-217.63848
ｆ１２３ｔ＝-267.32298
Ｗ          Ｍ１          Ｍ２        Ｔ
ＦＮＯ      4.12109      5.58779      6.39998      6.50002
ω     42.58698     22.66696     11.13686      6.13014
Ｙ     20.50        21.70        21.70        21.70
ＴＬ    126.45486    144.98844    168.50373    188.4741
［レンズ諸元］
面番号        Ｒ          Ｄ          νｄ        ｎｄ
1        185.7354      2.0000      31.27      1.903660
2         75.9813      1.0263
3         81.5981      6.4204      67.90      1.593190
4       -494.4016      0.1000
5         59.1320      6.1300      67.90      1.593190
6        390.1369      D1（可変）
7        236.0277      1.2500      32.33      1.953750
8         19.0394      5.0675
9        -46.6700      1.1000      52.33      1.755000
10        68.1612      0.4169
11        37.1210      3.3840      20.88      1.922860
12       -52.5580      0.5124
13       -32.9357      1.0000      46.59      1.816000
14       416.8076      D2（可変）
15          ∞         2.0000                          （絞りＳ）
16        39.8204      2.5136      35.72      1.902650
17      -292.5261      0.5000
18        36.7161      1.0000      29.12      2.001000
19        20.9452      3.3404      53.74      1.579570
20       -76.0620      1.4447
21       -35.5626      1.0000      32.33      1.953750
22      -290.1606      D3（可変）
23        37.1374      4.6344      42.73      1.834810
24       -37.1374      1.0000      31.27      1.903660
25      -308.9768      0.1000
26        31.6449      2.7756      32.33      1.953750
27        15.2741      8.7030      81.49      1.497100
28*      -40.3095      D4（可変）
29      1365.4927      3.0634      23.80      1.846660
30       -35.3251      1.0000      40.13      1.851350
31*       32.6144      D5（可変）
32       -16.9998      1.4000      42.51      1.820800
33*      -22.5398      0.1000
34       626.7496      3.5530      37.57      1.683760
35       -77.6296      BF
［非球面データ］
第２８面
κ=1.0000,A4=3.13017E-05,A6=-1.03090E-07
A8=6.53525E-10,A10=-2.57830E-12,A12=0.32673E-14
第３１面
κ=1.0000,A4=-6.66636E-06,A6=5.10546E-08
A8=1.72567E-11,A10=-2.40595E-12,A12=0.98445E-14
第３３面
κ=1.0000,A4=-1.93366E-06,A6=-2.05750E-08
A8=8.81224E-11,A10=-2.94021E-13,A12=0.00000E+00
［レンズ群データ］
群      始面      焦点距離
G1        1        98.9899
G2        7       -16.5057
G3       16        48.48369
G4       23        28.91747
G5       29       -39.0895
G6       32       -15588.34
［可変間隔データ］
Ｗ            Ｍ１          Ｍ２          Ｔ
無限遠        無限遠        無限遠        無限遠
ｆ      24.72001      49.99999     105.05133     193.99063
D0        ∞            ∞            ∞            ∞
D1       1.50000      17.29645      38.92328      54.52847
D2      18.83905      10.91446       4.55495       1.10018
D3      12.23175       6.39417       3.18615       1.47844
D4       5.54311       4.42699       5.70823       2.00068
D5      10.05055      17.00460      18.93085      24.34574
BF      11.75486      22.41624      30.66474      38.48515
Ｗ            Ｍ１          Ｍ２          Ｔ
近距離        近距離        近距離        近距離
β      -0.06221      -0.11053      -0.17918      -0.28386
D0     365.9340      397.4004      473.8851      503.9147
D1       1.50000      17.29645      38.92328      54.52847
D2      18.83905      10.91446       4.55495       1.10018
D3      12.23175       6.39417       3.18615       1.47844
D4       6.43705       6.05192      10.02051      11.69839
D5       9.15661      15.37967      14.61857      14.64803
BF      11.78171      22.50112      30.88824      39.04500
［条件式対応値］
条件式（１）  Ｍｖ４／Ｍｖ３＝1.402
条件式（２）  Ｍｖ２／ｆｗ＝0.364
条件式（３）  ｆｔ／ｆｗ＝7.848
条件式（４）  ωｗ＝42.587
条件式（５）  ωｔ＝6.130
条件式（６）  ｆｗ／ｆ１２３ｗ＝-0.114
条件式（７）  ｆｔ／ｆ１２３ｔ＝-0.726
条件式（８）  ＢＦｗ／ｆｗ＝0.476
条件式（９）  （−ｆ５）／ｆｗ＝1.581
条件式（１０）  Ｍｖ５／Ｍｖ６＝1.535
条件式（１１）  Ｍｖ１／（ｆｔ−ｆｗ）＝0.366
条件式（１２）  （ＲＡｒ２＋ＲＡｒ１）／（ＲＡｒ２−ＲＡｒ１）＝0.931【００９４】
図２（Ａ）、および図２（Ｂ）はそれぞれ、第１実施例に係る変倍光学系の広角端状態、および望遠端状態における無限遠合焦時の諸収差図である。図３（Ａ）、および図３（Ｂ）はそれぞれ、第１実施例に係る変倍光学系の広角端状態、および望遠端状態におけるブレ補正を行った際のコマ収差図である。図２（Ａ）、および図２（Ｂ）の各収差図において、ＦＮＯはＦナンバー、Ｙは像高をそれぞれ示す。球面収差図では最大口径に対応するＦナンバーの値を示し、非点収差図および歪曲収差図では像高の最大値をそれぞれ示し、コマ収差図では各像高の値を示す。図３（Ａ）、および図３（Ｂ）のコマ収差図では各像高の値を示す。また各収差図において、ｄはｄ線(波長λ＝５８７．６ｎｍ)、ｇはｇ線（波長λ＝４３５．８ｎｍ）をそれぞれ示す。非点収差図において、実線はサジタル像面、破線はメリディオナル像面をそれぞれ示す。なお、以下に示す各実施例の収差図においても、本実施例と同様の符号を用い、重複する説明は省略する。【００９５】
各諸収差図より、第１実施例に係る変倍光学系は、諸収差が良好に補正され、優れた結像性能を有していることがわかる。【００９６】
（第２実施例）
第２実施例について、図４〜図６および表２を用いて説明する。図４は、第２実施例に係る変倍光学系の広角端状態における無限遠合焦時のレンズ構成図である。第２実施例に係る変倍光学系ＺＬ（２）は、物体側から順に並んだ、正の屈折力を有する第１レンズ群Ｇ１と、負の屈折力を有する第２レンズ群Ｇ２と、開口絞りＳが設けられた正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳが設けられた第３レンズ群Ｇ３、第４レンズ群Ｇ４、第５レンズ群Ｇ５、および第６レンズ群Ｇ６は、光軸に沿って図４の矢印で示す方向に移動し、隣り合う各レンズ群の間隔が変化する。なお、変倍の際、開口絞りＳと第３レンズ群Ｇ３と第６レンズ群Ｇ６とが一体的に移動する。【００９７】
第１レンズ群Ｇ１は、物体側から順に並んだ、物体側に凸面を向けた負メニスカスレンズＬ１１と、両凸形状の正レンズＬ１２と、物体側に凸面を向けた正メニスカスレンズＬ１３とから構成される。【００９８】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。【００９９】
第３レンズ群Ｇ３は、物体側から順に並んだ、両凸形状の正レンズＬ３１と、開口絞りＳと、物体側に凸面を向けた負メニスカスレンズＬ３２と両凸形状の正レンズＬ３３との接合レンズと、物体側に凹面を向けた負メニスカスレンズＬ３４とから構成される。【０１００】
第４レンズ群Ｇ４は、物体側から順に並んだ、両凸形状の正レンズＬ４１と物体側に凹面を向けた負メニスカスレンズＬ４２との接合レンズと、物体側に凸面を向けた負メニスカスレンズＬ４３と両凸形状の正レンズＬ４４との接合レンズとから構成される。正レンズＬ４４は、像面Ｉ側のレンズ面が非球面である。【０１０１】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０１０２】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。負メニスカスレンズＬ６１は、像面Ｉ側のレンズ面が非球面である。第６レンズ群Ｇ６の像側に、像面Ｉが配置される。【０１０３】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０１０４】
以下の表２に、第２実施例に係る変倍光学系の諸元の値を掲げる。【０１０５】
（表２）
［全体諸元］
変倍比  7.848
ｆ１２３ｗ＝-377.733
ｆ１２３ｔ＝-288.19144
Ｗ          Ｍ１          Ｍ２        Ｔ
ＦＮＯ      4.12000      5.60000      6.20000      6.49999
ω     43.04718     22.53540     10.65017      6.13829
Ｙ     20.91        21.70        21.70        21.70
ＴＬ    125.95528    142.51715    167.85323    186.8435
［レンズ諸元］
面番号        Ｒ          Ｄ          νｄ        ｎｄ
1        188.64525     2.00000     31.27      1.903660
2         77.80524     0.84780
3         80.41425     6.51915     67.90      1.593190
4       -471.30377     0.10000
5         62.30684     5.66572     67.90      1.593190
6        358.24871     D1（可変）
7        230.01286     1.25000     43.79      1.848500
8         18.45421     5.50336
9        -40.33983     1.10000     52.34      1.755000
10        79.65336     0.38546
11        39.14822     3.37749     23.80      1.846660
12       -47.38891     0.46523
13       -31.94449     1.00000     46.59      1.816000
14     -2729.77760     D2（可変）
15        41.64137     2.51154     35.73      1.902650
16      -289.39118     0.40000
17          ∞         0.10000                        （絞りＳ）
18        38.12143     1.00000     29.12      2.001000
19        21.49924     3.26023     53.74      1.579570
20       -73.20919     1.47119
21       -34.94662     1.00000     32.33      1.953750
22      -165.99888     D3（可変）
23        37.20805     4.18411     42.73      1.834810
24       -43.17368     1.00003     31.27      1.903660
25      -659.56023     1.54931
26        28.71779     1.32801     32.33      1.953750
27        14.76801     9.10325     81.49      1.497100
28*      -42.86465     D4（可変）
29       255.99237     3.36761     23.80      1.846660
30       -33.68693     1.00000     40.13      1.851350
31*       31.06431     D5（可変）
32       -23.57856     1.40000     45.21      1.794457
33*      -50.21699     0.10000
34        91.45040     3.78568     29.84      1.800000
35      -197.78095     BF
［非球面データ］
第２８面
κ=1.0000,A4=2.56920E-05,A6=-9.38399E-08
A8=4.71077E-10,A10=-1.70196E-12,A12=0.00000E+00
第３１面
κ=1.0000,A4=-6.78111E-06,A6=6.47335E-08
A8=-3.28125E-10,A10=2.56418E-13,A12=0.00000E+00
第３３面
κ=1.0000,A4=3.30419E-06,A6=-1.76274E-09
A8=1.66657E-12,A10=1.80471E-14,A12=0.00000E+00
［レンズ群データ］
群      始面      焦点距離
G1        1       102.16195
G2        7       -16.76640
G3       15        47.83089
G4       23        29.71748
G5       29       -41.62356
G6       32      -236.16863
［可変間隔データ］
Ｗ            Ｍ１          Ｍ２          Ｔ
無限遠        無限遠        無限遠        無限遠
ｆ      24.72031      50.00094     110.00281     194.00483
D0        ∞            ∞            ∞            ∞
D1       1.50000      17.23398      38.86323      55.71214
D2      19.13452      10.77832       3.90279       1.10000
D3      12.16022       5.90688       2.59619       1.47832
D4       5.12094       4.32200       5.90770       2.00000
D5      10.00915      17.06861      18.78383      23.80987
BF      11.25528      20.43218      31.02431      35.96804
Ｗ            Ｍ１          Ｍ２          Ｔ
近距離        近距離        近距離        近距離
β      -0.06086      -0.10794      -0.18504      -0.27368
D0     374.0451      407.4838      482.1484      513.1582
D1       1.50000      17.23398      38.86323      55.71214
D2      19.13452      10.77832       3.90279       1.10000
D3      12.16022       5.90688       2.59619       1.47832
D4       6.06949       6.02341      10.42761      11.59738
D5       9.06059      15.36720      14.26392      14.21249
BF      11.25529      20.4322       31.02445      35.96847
［条件式対応値］
条件式（１）  Ｍｖ４／Ｍｖ３＝1.432
条件式（２）  Ｍｖ２／ｆｗ＝0.270
条件式（３）  ｆｔ／ｆｗ＝7.848
条件式（４）  ωｗ＝43.047
条件式（５）  ωｔ＝6.138
条件式（６）  ｆｗ／ｆ１２３ｗ＝-0.112
条件式（７）  ｆｔ／ｆ１２３ｔ＝-0.783
条件式（８）  ＢＦｗ／ｆｗ＝0.455
条件式（９）  （−ｆ５）／ｆｗ＝1.684
条件式（１０）  Ｍｖ５／Ｍｖ６＝1.558
条件式（１１）  Ｍｖ１／（ｆｔ−ｆｗ）＝0.360
条件式（１２）  （ＲＡｒ２＋ＲＡｒ１）／（ＲＡｒ２−ＲＡｒ１）＝0.291【０１０６】
図５（Ａ）、および図５（Ｂ）はそれぞれ、第２実施例に係る変倍光学系の広角端状態、および望遠端状態における無限遠合焦時の諸収差図である。図６（Ａ）、および図６（Ｂ）はそれぞれ、第２実施例に係る変倍光学系の広角端状態、および望遠端状態におけるブレ補正を行った際のコマ収差図である。各諸収差図より、第２実施例に係る変倍光学系は、諸収差が良好に補正され、優れた結像性能を有していることがわかる。【０１０７】
（第３実施例）
第３実施例について、図７〜図９および表３を用いて説明する。図７は、第３実施例に係る変倍光学系の広角端状態における無限遠合焦時のレンズ構成図である。第３実施例に係る変倍光学系ＺＬ（３）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図７の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１０８】
第１レンズ群Ｇ１は、物体側から順に並んだ、物体側に凸面を向けた負メニスカスレンズＬ１１と両凸形状の正レンズＬ１２との接合レンズと、物体側に凸面を向けた正メニスカスレンズＬ１３とから構成される。【０１０９】
第２レンズ群Ｇ２は、物体側から順に並んだ、物体側に凸面を向けた負メニスカスレンズＬ２１と、物体側に凸面を向けた負メニスカスレンズＬ２２と、物体側に凸面を向けた正メニスカスレンズＬ２３と、物体側に凹面を向けた正メニスカスレンズＬ２４と物体側に凹面を向けた負メニスカスレンズＬ２５との接合レンズとから構成される。負メニスカスレンズＬ２１は、物体側のレンズ面が非球面である。負メニスカスレンズＬ２５は、像面Ｉ側のレンズ面が非球面である。【０１１０】
第３レンズ群Ｇ３は、物体側に凸面を向けた正メニスカスレンズＬ３１から構成される。正メニスカスレンズＬ３１は、物体側のレンズ面が非球面である。【０１１１】
第４レンズ群Ｇ４は、物体側から順に並んだ、両凸形状の正レンズＬ４１と、物体側に凸面を向けた負メニスカスレンズＬ４２と物体側に凸面を向けた正メニスカスレンズＬ４３との接合レンズと、両凸形状の正レンズＬ４４と物体側に凹面を向けた負メニスカスレンズＬ４５との接合レンズとから構成される。負メニスカスレンズＬ４５は、像面Ｉ側のレンズ面が非球面である。【０１１２】
第５レンズ群Ｇ５は、物体側に凹面を向けた正メニスカスレンズＬ５１と両凹形状の負レンズＬ５２との接合レンズから構成される。負レンズＬ５２は、像面Ｉ側のレンズ面が非球面である。【０１１３】
第６レンズ群Ｇ６は、物体側から順に並んだ、物体側に凹面を向けた負メニスカスレンズＬ６１と、物体側に凹面を向けた正メニスカスレンズＬ６２とから構成される。負メニスカスレンズＬ６１と正メニスカスレンズＬ６２との間に、空気レンズが形成されている。第６レンズ群Ｇ６の像側に、像面Ｉが配置される。【０１１４】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における正メニスカスレンズＬ３１が、光軸と垂直な方向へ移動可能な正の屈折力を有する防振群を構成し、手ブレ等による結像位置の変位（像面Ｉ上の像ブレ）を補正する。【０１１５】
以下の表３に、第３実施例に係る変倍光学系の諸元の値を掲げる。【０１１６】
（表３）
［全体諸元］
変倍比  7.850
ｆ１２３ｗ＝-526.69259
ｆ１２３ｔ＝-297.45559
Ｗ          Ｍ１          Ｍ２        Ｔ
ＦＮＯ      4.12000      5.00001      6.14000      6.50003
ω     41.94830     22.05780     10.36801      5.96172
Ｙ     21.34        21.70        21.70        21.70
ＴＬ    118.25612    134.48400    163.70742    182.4804
［レンズ諸元］
面番号        Ｒ          Ｄ          νｄ        ｎｄ
1        151.3952      2.0000      23.80      1.846660
2         87.2806      5.9280      67.90      1.593190
3      -1349.8590      0.1000
4         76.7487      4.4238      67.90      1.593190
5        320.3570      D1（可変）
6*       395.1403      1.2500      40.66      1.883000
7         17.9444      4.0881
8        172.0131      1.0000      27.15      1.944421
9         41.2622      0.6317
10        28.0910      3.7608      20.88      1.922860
11       282.0417      1.6588
12       -43.9082      1.6452      25.64      1.784720
13       -19.4929      1.1000      43.36      1.839318
14*     -367.3130      D2（可変）
15          ∞         1.8230                          （絞りＳ）
16*       25.2025      2.7754      59.33      1.609605
17       116.8971      D3（可変）
18        27.7315      3.2255      67.90      1.593190
19      -829.3049      0.7234
20        31.9256      2.0849      32.32      1.953747
21        14.4283      4.6386      70.32      1.487490
22        87.2035      0.7730
23        61.3969      5.2420      82.57      1.497820
24       -18.0219      4.1197      37.22      1.882023
25*      -25.6911      D4（可変）
26     -1678.9249      3.0141      25.26      1.902000
27       -33.6869      1.0000      40.12      1.851080
28*       40.9152      D5（可変）
29       -15.4450      1.2500      46.59      1.816000
30       -29.1017      0.1000
31      -162.7939      2.9649      29.37      1.950000
32       -61.0034      BF
［非球面データ］
第６面
κ=1.9193,A4=5.26888E-06,A6=-1.61582E-08
A8=5.37910E-11,A10=-9.15512E-14,A12=0.00000E+00
第１４面
κ=6.0000,A4=8.64764E-07,A6=-1.04249E-08
A8=-8.45595E-12,A10=4.36832E-13,A12=0.00000E+00
第１６面
κ=-0.0411,A4=-5.82687E-06,A6=1.89727E-08
A8=-3.04157E-10,A10=1.94188E-12,A12=0.00000E+00
第２５面
κ=1.0633,A4=1.55522E-05,A6=-4.60661E-08
A8=2.01166E-10,A10=-8.69226E-13,A12=0.00000E+00
第２８面
κ=0.0000,A4=-8.62706E-06,A6=9.53672E-08
A8=-5.21848E-10,A10=1.74761E-12,A12=0.00000E+00
［レンズ群データ］
群      始面      焦点距離
G1        1       111.43064
G2        6       -17.83112
G3       16        52.10796
G4       18        30.96133
G5       26       -50.42308
G6       29       -77.20586
［可変間隔データ］
Ｗ            Ｍ１          Ｍ２          Ｔ
無限遠        無限遠        無限遠        無限遠
ｆ      24.72028      50.00010     110.02145     194.04302
D0        ∞            ∞            ∞            ∞
D1       1.56355      16.96393      42.92481      58.95782
D2      18.90672       9.77960       3.82294       0.50000
D3      10.22026       5.92276       2.94135       1.20000
D4       6.49920       5.70254       5.42574       2.50000
D5      10.45535      15.54950      18.80771      23.47480
BF       9.29011      19.24474      28.46394      34.52694
Ｗ            Ｍ１          Ｍ２          Ｔ
近距離        近距離        近距離        近距離
β      -0.06124      -0.12203      -0.24452      -0.38142
D0     373.1327      356.9049      327.6814      308.9084
D1       1.56355      16.96393      42.92481      58.95782
D2      18.90672       9.77960       3.82294       0.50000
D3      10.22026       5.92276       2.94135       1.20000
D4       7.63429       7.89257      11.92314      16.79614
D5       9.32026      13.35947      12.31031       9.17866
BF       9.31670      19.34984      28.88441      35.54307
［条件式対応値］
条件式（１）  Ｍｖ４／Ｍｖ３＝1.357
条件式（２）  Ｍｖ２／ｆｗ＝0.276
条件式（３）  ｆｔ／ｆｗ＝7.850
条件式（４）  ωｗ＝41.948
条件式（５）  ωｔ＝5.962
条件式（６）  ｆｗ／ｆ１２３ｗ＝-0.047
条件式（７）  ｆｔ／ｆ１２３ｔ＝-0.652
条件式（８）  ＢＦｗ／ｆｗ＝0.376
条件式（９）  （−ｆ５）／ｆｗ＝2.040
条件式（１０）  Ｍｖ５／Ｍｖ６＝1.516
条件式（１１）  Ｍｖ１／（ｆｔ−ｆｗ）＝0.379
条件式（１２）  （ＲＡｒ２＋ＲＡｒ１）／（ＲＡｒ２−ＲＡｒ１）＝1.435【０１１７】
図８（Ａ）、および図８（Ｂ）はそれぞれ、第３実施例に係る変倍光学系の広角端状態、および望遠端状態における無限遠合焦時の諸収差図である。図９（Ａ）、および図９（Ｂ）はそれぞれ、第３実施例に係る変倍光学系の広角端状態、および望遠端状態におけるブレ補正を行った際のコマ収差図である。各諸収差図より、第３実施例に係る変倍光学系は、諸収差が良好に補正され、優れた結像性能を有していることがわかる。【０１１８】
（第４実施例）
第４実施例について、図１０〜図１２および表４を用いて説明する。図１０は、第４実施例に係る変倍光学系の広角端状態における無限遠合焦時のレンズ構成図である。第４実施例に係る変倍光学系ＺＬ（４）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図１０の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１１９】
第１レンズ群Ｇ１は、物体側から順に並んだ、物体側に凸面を向けた負メニスカスレンズＬ１１と両凸形状の正レンズＬ１２との接合レンズと、物体側に凸面を向けた正メニスカスレンズＬ１３とから構成される。【０１２０】
第２レンズ群Ｇ２は、物体側から順に並んだ、物体側に凸面を向けた負メニスカスレンズＬ２１と、物体側に凸面を向けた負メニスカスレンズＬ２２と、両凸形状の正レンズＬ２３と、物体側に凹面を向けた正メニスカスレンズＬ２４と物体側に凹面を向けた負メニスカスレンズＬ２５との接合レンズとから構成される。負メニスカスレンズＬ２１は、物体側のレンズ面が非球面である。負メニスカスレンズＬ２５は、像面Ｉ側のレンズ面が非球面である。【０１２１】
第３レンズ群Ｇ３は、物体側から順に並んだ、物体側に凸面を向けた正メニスカスレンズＬ３１と、両凸形状の正レンズＬ３２と物体側に凹面を向けた負メニスカスレンズＬ３３との接合レンズとから構成される。正メニスカスレンズＬ３１は、物体側のレンズ面が非球面である。【０１２２】
第４レンズ群Ｇ４は、物体側から順に並んだ、物体側に凸面を向けた正メニスカスレンズＬ４１と、物体側に凸面を向けた負メニスカスレンズＬ４２と物体側に凸面を向けた正メニスカスレンズＬ４３との接合レンズと、物体側に凹面を向けた正メニスカスレンズＬ４４と物体側に凹面を向けた負メニスカスレンズＬ４５との接合レンズとから構成される。負メニスカスレンズＬ４５は、像面Ｉ側のレンズ面が非球面である。【０１２３】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０１２４】
第６レンズ群Ｇ６は、物体側から順に並んだ、物体側に凹面を向けた負メニスカスレンズＬ６１と、像面Ｉ側に平面を向けた平凸形状の正レンズＬ６２とから構成される。負メニスカスレンズＬ６１と正レンズＬ６２との間に、空気レンズが形成されている。第６レンズ群Ｇ６の像側に、像面Ｉが配置される。【０１２５】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における正レンズＬ３２と負メニスカスレンズＬ３３との接合レンズが、光軸と垂直な方向へ移動可能な正の屈折力を有する防振群を構成し、手ブレ等による結像位置の変位（像面Ｉ上の像ブレ）を補正する。【０１２６】
以下の表４に、第４実施例に係る変倍光学系の諸元の値を掲げる。【０１２７】
（表４）
［全体諸元］
変倍比  7.848
ｆ１２３ｗ＝102.18699
ｆ１２３ｔ＝-1535.17561
Ｗ          Ｍ１          Ｍ２        Ｔ
ＦＮＯ      4.12000      5.00001      6.14000      6.50003
ω     41.94830     22.05780     10.36801      5.96172
Ｙ     21.65        21.70        21.70        21.70
ＴＬ    122.11284    138.25648    173.12226    195.4602
［レンズ諸元］
面番号        Ｒ          Ｄ          νｄ        ｎｄ
1        157.9423      2.0000      23.80      1.846660
2         81.8879      5.9036      67.90      1.593190
3      -2013.3747      0.1000
4         63.5017      4.6636      63.34      1.618000
5        210.8809      D1（可変）
6*       318.1018      1.2500      40.66      1.883000
7         16.7008      4.7201
8        704.9777      1.3500      25.79      1.940573
9         35.9277      0.1354
10        25.6246      4.3288      20.88      1.922860
11       -84.8316      1.1878
12       -26.8353      2.5514      26.72      1.759928
13       -14.0619      1.1000      40.66      1.883000
14*     -120.1155      D2（可変）
15          ∞         1.7168                          （絞りＳ）
16*       25.0707      2.5492      56.42      1.650119
17        50.5707      1.8201
18      2141.2793      3.9646      47.10      1.718816
19       -19.4561      1.2000      29.37      1.950000
20       -40.3974      D3（可変）
21        33.1155      2.7430      58.12      1.622989
22       102.1338      0.1000
23        26.3197      4.3495      29.37      1.950000
24        14.1783      4.4212      70.32      1.487490
25        72.5822      1.6811
26      -306.2709      4.3812      82.57      1.497820
27       -18.7373      1.2500      37.22      1.882023
28*      -24.4766      D4（可変）
29       119.2349      3.5589      25.92      1.805628
30       -33.6869      1.0000      40.12      1.851080
31*       32.8619      D5（可変）
32       -22.4629      1.2500      40.66      1.883000
33       -43.8572      0.1000
34        61.5070      4.1976      33.02      1.689260
35          ∞         BF
［非球面データ］
第６面
κ=6.0000,A4=9.24936E-06,A6=4.48621E-09
A8=-4.48203E-11,A10=1.65001E-13,A12=0.00000E+00
第１４面
κ=5.8635,A4=-1.80704E-06,A6=1.46957E-08
A8=-7.35664E-11,A10=-5.50824E-13,A12=0.00000E+00
第１６面
κ=0.0729,A4=-4.52720E-06,A6=2.52623E-08
A8=-1.11420E-10,A10=1.41519E-13,A12=0.00000E+00
第２８面
κ=1.0568,A4=1.62692E-05,A6=-9.59061E-09
A8=-6.35322E-11,A10=1.73247E-13,A12=0.00000E+00
第３１面
κ=1.0365,A4=-5.49985E-06,A6=5.29125E-08
A8=-9.39998E-11,A10=1.17057E-13,A12=0.00000E+00
［レンズ群データ］
群      始面      焦点距離
G1        1       106.62052
G2        6       -16.22739
G3       16        41.04090
G4       21        40.60874
G5       29       -49.86905
G6       32      -140.23760
［可変間隔データ］
Ｗ            Ｍ１          Ｍ２          Ｔ
無限遠        無限遠        無限遠        無限遠
ｆ      24.71999      49.99999     109.99995     193.99988
D0        ∞            ∞            ∞            ∞
D1       1.50000      18.53350      35.68354      55.45436
D2      17.47125       8.41504       3.49296       0.78316
D3       8.24386       2.43196       1.40000       1.44036
D4       6.00186       7.14502       5.60349       2.49999
D5      10.03309      14.70182      17.27531      20.33845
BF       9.28884      17.45519      40.09303      45.36996
Ｗ            Ｍ１          Ｍ２          Ｔ
近距離        近距離        近距離        近距離
β      -0.06195      -0.10885      -0.20280      -0.28444
D0     369.2759      403.0933      448.2665      495.9287
D1       1.50000      18.53350      35.68354      55.45436
D2      17.47125       8.41504       3.49296       0.78316
D3       8.24386       2.43196       1.40000       1.44036
D4       7.29302       9.64626      10.19294      12.30143
D5       8.74193      12.20058      12.68586      10.53701
BF       9.31603      17.53910      40.38407      45.94189
［条件式対応値］
条件式（１）  Ｍｖ４／Ｍｖ３＝1.189
条件式（２）  Ｍｖ２／ｆｗ＝0.785
条件式（３）  ｆｔ／ｆｗ＝7.848
条件式（４）  ωｗ＝41.948
条件式（５）  ωｔ＝5.962
条件式（６）  ｆｗ／ｆ１２３ｗ＝0.242
条件式（７）  ｆｔ／ｆ１２３ｔ＝-0.126
条件式（８）  ＢＦｗ／ｆｗ＝0.376
条件式（９）  （−ｆ５）／ｆｗ＝2.017
条件式（１０）  Ｍｖ５／Ｍｖ６＝1.286
条件式（１１）  Ｍｖ１／（ｆｔ−ｆｗ）＝0.433
条件式（１２）  （ＲＡｒ２＋ＲＡｒ１）／（ＲＡｒ２−ＲＡｒ１）＝0.168【０１２８】
図１１（Ａ）、および図１１（Ｂ）はそれぞれ、第４実施例に係る変倍光学系の広角端状態、および望遠端状態における無限遠合焦時の諸収差図である。図１２（Ａ）、および図１２（Ｂ）はそれぞれ、第４実施例に係る変倍光学系の広角端状態、および望遠端状態におけるブレ補正を行った際のコマ収差図である。各諸収差図より、第４実施例に係る変倍光学系は、諸収差が良好に補正され、優れた結像性能を有していることがわかる。【０１２９】
（第５実施例）
第５実施例について、図１３〜図１５および表５を用いて説明する。図１３は、第５実施例に係る変倍光学系の広角端状態における無限遠合焦時のレンズ構成図である。第５実施例に係る変倍光学系ＺＬ（５）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図１３の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１３０】
第１レンズ群Ｇ１は、物体側から順に並んだ、物体側に凸面を向けた負メニスカスレンズＬ１１と両凸形状の正レンズＬ１２との接合レンズと、物体側に凸面を向けた正メニスカスレンズＬ１３とから構成される。【０１３１】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。負メニスカスレンズＬ２１は、物体側のレンズ面が非球面である。負メニスカスレンズＬ２４は、像面Ｉ側のレンズ面が非球面である。【０１３２】
第３レンズ群Ｇ３は、物体側から順に並んだ、物体側に凸面を向けた正メニスカスレンズＬ３１と、物体側に凸面を向けた負メニスカスレンズＬ３２と両凸形状の正レンズＬ３３との接合レンズとから構成される。正メニスカスレンズＬ３１は、物体側のレンズ面が非球面である。【０１３３】
第４レンズ群Ｇ４は、物体側から順に並んだ、物体側に凸面を向けた正メニスカスレンズＬ４１と、物体側に凸面を向けた負メニスカスレンズＬ４２と両凸形状の正レンズＬ４３との接合レンズと、両凸形状の正レンズＬ４４と両凹形状の負レンズＬ４５との接合レンズとから構成される。負レンズＬ４５は、像面Ｉ側のレンズ面が非球面である。【０１３４】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０１３５】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。第６レンズ群Ｇ６の像側に、像面Ｉが配置される。【０１３６】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０１３７】
以下の表５に、第５実施例に係る変倍光学系の諸元の値を掲げる。【０１３８】
（表５）
［全体諸元］
変倍比  7.848
ｆ１２３ｗ＝148.33142
ｆ１２３ｔ＝-861.38789
Ｗ          Ｍ１          Ｍ２        Ｔ
ＦＮＯ      4.12000      5.60000      6.20000      6.49999
ω     42.61146     22.53540     10.65017      6.13829
Ｙ     20.68        21.70        21.70        21.70
ＴＬ    122.11284    137.15660    162.89036    188.0553
［レンズ諸元］
面番号        Ｒ          Ｄ          νｄ        ｎｄ
1        120.0314      2.0000      23.80      1.846660
2         75.2829      6.2421      82.57      1.497820
3      -2364.7242      0.1000
4         64.4734      5.0111      64.74      1.607834
5        308.6603      D1（可変）
6*        221.2774      1.2500      40.66      1.883000
7         17.1630      5.2789
8        -38.7201      1.1000      33.32      1.903162
9         95.9763      0.1000
10        40.1060      4.3656      20.88      1.922860
11       -33.5026      0.9492
12       -22.3899      1.1000      40.67      1.882762
13*     -102.6938      D2（可変）
14          ∞         0.8341                          （絞りＳ）
15*       31.3299      2.7567      63.86      1.517039
16       394.2979      1.0000
17        76.9690      1.1000      25.78      1.906571
18        30.3656      2.9449      45.71      1.623046
19       -89.6818      D3（可変）
20        23.7528      3.8095      41.66      1.659437
21        83.0826      2.6863
22        52.1032      1.8385      32.25      1.954620
23        15.4393      5.4045      70.32      1.487490
24       -39.4485      0.1000
25        37.0327      3.3978      67.89      1.593103
26      -838.1647      1.2500      43.15      1.810385
27*       82.5521      D4（可変）
28       623.8813      3.1385      22.74      1.808090
29       -33.6869      1.0000      41.21      1.836497
30*       32.8807      D5（可変）
31       -21.3174      1.2500      27.35      1.663819
32       -31.8044      0.1043
33        92.9303      3.5471      28.93      1.727721
34      -394.1540      BF
［非球面データ］
第６面
κ=5.7341,A4=1.16802E-06,A6=2.03518E-09
A8=1.81447E-11,A10=8.58869E-14,A12=0.00000E+00
第１３面
κ=3.2914,A4=-1.11111E-06,A6=1.49282E-09
A8=-3.72110E-11,A10=6.45032E-13,A12=0.00000E+00
第１５面
κ=0.0277,A4=-8.27654E-06,A6=1.77158E-08
A8=-1.81439E-10,A10=1.08193E-12,A12=0.00000E+00
第２７面
κ=1.9922,A4=1.24262E-05,A6=-1.46784E-08
A8=3.73707E-10,A10=-2.02655E-12,A12=0.00000E+00
第３０面
κ=1.9072,A4=-8.91746E-06,A6=3.65180E-08
A8=-5.04265E-10,A10=1.78607E-12,A12=0.00000E+00
［レンズ群データ］
群      始面      焦点距離
G1        1        99.41971
G2        6       -15.74038
G3       15        41.65192
G4       20        37.63548
G5       28       -40.12367
G6       31      7119.59107
［可変間隔データ］
Ｗ            Ｍ１          Ｍ２          Ｔ
無限遠        無限遠        無限遠        無限遠
ｆ      24.71999      49.99997     109.99986     193.99963
D0        ∞            ∞            ∞            ∞
D1       1.50000      16.60455      37.99399      53.23975
D2      18.36307      10.15010       3.58234       1.66590
D3      13.02129       4.83611       1.75831       1.47831
D4       6.45265       6.28920       8.47335       2.50000
D5       9.82549      18.17413      19.06777      25.32113
BF       9.29124      17.44341      28.35549      40.19113
Ｗ            Ｍ１          Ｍ２          Ｔ
近距離        近距離        近距離        近距離
β      -0.06170      -0.10941      -0.19455      -0.28776
D0     370.3154      405.3261      459.3561      504.3260
D1       1.50000      16.60455      37.99399      53.23975
D2      18.36307      10.15010       3.58234       1.66590
D3      13.02129       4.83611       1.75831       1.47831
D4       7.54590       8.23070      14.07758      12.27653
D5       8.73225      16.23263      13.46354      15.54460
BF       9.31427      17.51651      28.58674      40.69673
［条件式対応値］
条件式（１）  Ｍｖ４／Ｍｖ３＝1.374
条件式（２）  Ｍｖ２／ｆｗ＝0.575
条件式（３）  ｆｔ／ｆｗ＝7.848
条件式（４）  ωｗ＝42.611
条件式（５）  ωｔ＝6.138
条件式（６）  ｆｗ／ｆ１２３ｗ＝0.167
条件式（７）  ｆｔ／ｆ１２３ｔ＝-0.225
条件式（８）  ＢＦｗ／ｆｗ＝0.376
条件式（９）  （−ｆ５）／ｆｗ＝1.623
条件式（１０）  Ｍｖ５／Ｍｖ６＝1.501
条件式（１１）  Ｍｖ１／（ｆｔ−ｆｗ）＝0.390
条件式（１２）  （ＲＡｒ２＋ＲＡｒ１）／（ＲＡｒ２−ＲＡｒ１）＝0.490【０１３９】
図１４（Ａ）、および図１４（Ｂ）はそれぞれ、第５実施例に係る変倍光学系の広角端状態、および望遠端状態における無限遠合焦時の諸収差図である。図１５（Ａ）、および図１５（Ｂ）はそれぞれ、第５実施例に係る変倍光学系の広角端状態、および望遠端状態におけるブレ補正を行った際のコマ収差図である。各諸収差図より、第５実施例に係る変倍光学系は、諸収差が良好に補正され、優れた結像性能を有していることがわかる。【０１４０】
（第６実施例）
第６実施例について、図１６〜図１８および表６を用いて説明する。図１６は、第６実施例に係る変倍光学系の広角端状態における無限遠合焦時のレンズ構成図である。第６実施例に係る変倍光学系ＺＬ（６）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図１６の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１４１】
第１レンズ群Ｇ１は、物体側から順に並んだ、物体側に凸面を向けた負メニスカスレンズＬ１１と両凸形状の正レンズＬ１２との接合レンズと、物体側に凸面を向けた正メニスカスレンズＬ１３とから構成される。【０１４２】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。負メニスカスレンズＬ２１は、物体側のレンズ面が非球面である。負メニスカスレンズＬ２４は、像面Ｉ側のレンズ面が非球面である。【０１４３】
第３レンズ群Ｇ３は、物体側から順に並んだ、両凸形状の正レンズＬ３１と、物体側に凸面を向けた負メニスカスレンズＬ３２と両凸形状の正レンズＬ３３との接合レンズと、物体側に凹面を向けた負メニスカスレンズＬ３４とから構成される。【０１４４】
第４レンズ群Ｇ４は、物体側から順に並んだ、両凸形状の正レンズＬ４１と、物体側に凸面を向けた負メニスカスレンズＬ４２と両凸形状の正レンズＬ４３との接合レンズと、物体側に凸面を向けた正メニスカスレンズＬ４４と物体側に凹面を向けた負メニスカスレンズＬ４５との接合レンズとから構成される。正レンズＬ４１は、物体側のレンズ面が非球面である。負メニスカスレンズＬ４５は、像面Ｉ側のレンズ面が非球面である。【０１４５】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０１４６】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。第６レンズ群Ｇ６の像側に、像面Ｉが配置される。【０１４７】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０１４８】
以下の表６に、第６実施例に係る変倍光学系の諸元の値を掲げる。【０１４９】
（表６）
［全体諸元］
変倍比  7.848
ｆ１２３ｗ＝-136.43292
ｆ１２３ｔ＝-215.16315
Ｗ          Ｍ１          Ｍ２        Ｔ
ＦＮＯ      4.12001      5.60001      6.20000      6.50003
ω     42.67959     22.59339     10.65052      6.14768
Ｙ     20.58        21.70        21.70        21.70
ＴＬ    122.11285    136.30769    162.04178    189.3093
［レンズ諸元］
面番号        Ｒ          Ｄ          νｄ        ｎｄ
1        152.2083      2.0000      23.80      1.846660
2         89.2068      6.1884      82.57      1.497820
3       -413.2934      0.1000
4         63.3220      4.8830      67.90      1.593190
5        253.0230      D1（可変）
6*       137.9264      1.2500      40.66      1.882996
7         17.8991      4.7805
8        -47.3363      1.1000      36.88      1.897432
9         75.2485      0.1000
10        39.7397      4.1374      21.58      1.918850
11       -39.0575      0.7197
12       -24.5868      1.1000      47.49      1.802013
13*     -591.6627      D2（可変）
14          ∞         0.7464                          （絞りＳ）
15        46.9722      2.7552      48.04      1.768500
16       -93.2395      0.5000
17        51.8617      1.1000      29.95      1.987022
18        25.2907      2.9021      45.71      1.623046
19       -73.0708      1.4973
20       -29.7887      1.0273      35.73      1.902641
21       -85.6917      D3（可変）
22*       28.7123      3.8190      45.24      1.768369
23      -400.5317      2.3100
24        68.0478      1.0008      32.32      1.953752
25        17.9627      5.9680      78.66      1.495797
26       -34.0844      0.1000
27        42.3850      3.2656      67.90      1.593190
28       754.0925      1.2500      44.96      1.790885
29*       73.7905      D4（可変）
30       256.5317      3.3327      22.74      1.808090
31       -33.6869      1.0000      40.27      1.839964
32*       28.6240      D5（可変）
33       -20.9675      1.2500      27.35      1.663819
34       -40.3074      0.1000
35       173.3096      4.5044      31.21      1.841022
36       -72.4610      BF
［非球面データ］
第６面
κ=0.0442,A4=-4.01520E-06,A6=2.02052E-08
A8=-1.03759E-10,A10=3.37776E-13,A12=0.00000E+00
第１３面
κ=1.0000,A4=-6.36415E-06,A6=2.72142E-08
A8=-2.64695E-10,A10=8.53046E-13,A12=0.00000E+00
第２２面
κ=1.0000,A4=-4.72982E-06,A6=7.21651E-09
A8=-1.20147E-10,A10=3.75555E-13,A12=0.00000E+00
第２９面
κ=1.0000,A4=1.53597E-05,A6=-6.12529E-09
A8=2.59000E-10,A10=-2.05818E-12,A12=0.00000E+00
第３２面
κ=1.0000,A4=-5.88848E-06,A6=4.28279E-08
A8=-4.85291E-10,A10=2.28998E-12,A12=0.00000E+00
［レンズ群データ］
群      始面      焦点距離
G1        1       101.19406
G2        6       -16.04849
G3       15        49.36913
G4       22        29.13636
G5       30       -37.13373
G6       33       424.58679
［可変間隔データ］
Ｗ            Ｍ１          Ｍ２          Ｔ
無限遠        無限遠        無限遠        無限遠
ｆ      24.72000      50.00001     109.99999     194.00003
D0        ∞            ∞            ∞            ∞
D1       1.50000      15.59832      37.20427      54.26539
D2      17.63580       9.34111       2.87140       1.75361
D3      12.53679       5.46459       2.24074       1.47831
D4       6.27123       7.05298      10.12752       2.50000
D5       9.72366      16.01381      16.16341      24.55336
BF       9.65757      18.04908      28.64666      39.97093
Ｗ            Ｍ１          Ｍ２          Ｔ
近距離        近距離        近距離        近距離
β      -0.06163      -0.10967      -0.19523      -0.28795
D0     370.3333      405.5358      460.2499      503.0996
D1       1.50000      15.59832      37.20427      54.26539
D2      17.63580       9.34111       2.87140       1.75361
D3      12.53679       5.46459       2.24074       1.47831
D4       7.24735       8.97695      15.97733      12.28747
D5       8.74755      14.08984      10.31360      14.76589
BF       9.68397      18.12250      28.87954      40.47730
［条件式対応値］
条件式（１）  Ｍｖ４／Ｍｖ３＝1.365
条件式（２）  Ｍｖ２／ｆｗ＝0.584
条件式（３）  ｆｔ／ｆｗ＝7.848
条件式（４）  ωｗ＝42.680
条件式（５）  ωｔ＝6.148
条件式（６）  ｆｗ／ｆ１２３ｗ＝-0.181
条件式（７）  ｆｔ／ｆ１２３ｔ＝-0.902
条件式（８）  ＢＦｗ／ｆｗ＝0.391
条件式（９）  （−ｆ５）／ｆｗ＝1.502
条件式（１０）  Ｍｖ５／Ｍｖ６＝1.489
条件式（１１）  Ｍｖ１／（ｆｔ−ｆｗ）＝0.397
条件式（１２）  （ＲＡｒ２＋ＲＡｒ１）／（ＲＡｒ２−ＲＡｒ１）＝0.623【０１５０】
図１７（Ａ）、および図１７（Ｂ）はそれぞれ、第６実施例に係る変倍光学系の広角端状態、および望遠端状態における無限遠合焦時の諸収差図である。図１８（Ａ）、および図１８（Ｂ）はそれぞれ、第６実施例に係る変倍光学系の広角端状態、および望遠端状態におけるブレ補正を行った際のコマ収差図である。各諸収差図より、第６実施例に係る変倍光学系は、諸収差が良好に補正され、優れた結像性能を有していることがわかる。【０１５１】
（第７実施例）
第７実施例について、図１９〜図２１および表７を用いて説明する。図１９は、第７実施例に係る変倍光学系の広角端状態における無限遠合焦時のレンズ構成図である。第７実施例に係る変倍光学系ＺＬ（７）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図１９の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１５２】
第１レンズ群Ｇ１は、物体側から順に並んだ、物体側に凸面を向けた負メニスカスレンズＬ１１と両凸形状の正レンズＬ１２との接合レンズと、物体側に凸面を向けた正メニスカスレンズＬ１３とから構成される。【０１５３】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。負メニスカスレンズＬ２１は、物体側のレンズ面が非球面である。負メニスカスレンズＬ２４は、像面Ｉ側のレンズ面が非球面である。【０１５４】
第３レンズ群Ｇ３は、物体側から順に並んだ、物体側に凸面を向けた正メニスカスレンズＬ３１と、物体側に凸面を向けた負メニスカスレンズＬ３２と両凸形状の正レンズＬ３３との接合レンズと、像面Ｉ側に平面を向けた平凹形状の負レンズＬ３４とから構成される。正メニスカスレンズＬ３１は、物体側のレンズ面が非球面である。【０１５５】
第４レンズ群Ｇ４は、物体側から順に並んだ、両凸形状の正レンズＬ４１と物体側に凹面を向けた負メニスカスレンズＬ４２との接合レンズと、物体側に凸面を向けた負メニスカスレンズＬ４３と両凸形状の正レンズＬ４４との接合レンズとから構成される。正レンズＬ４４は、像面Ｉ側のレンズ面が非球面である。【０１５６】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０１５７】
第６レンズ群Ｇ６は、物体側から順に並んだ、物体側に凹面を向けた負メニスカスレンズＬ６１と、物体側に凹面を向けた正メニスカスレンズＬ６２とから構成される。負メニスカスレンズＬ６１と正メニスカスレンズＬ６２との間に、空気レンズが形成されている。第６レンズ群Ｇ６の像側に、像面Ｉが配置される。【０１５８】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０１５９】
以下の表７に、第７実施例に係る変倍光学系の諸元の値を掲げる。【０１６０】
（表７）
［全体諸元］
変倍比  7.854
ｆ１２３ｗ＝108.15193
ｆ１２３ｔ＝-1180.72115
Ｗ          Ｍ１          Ｍ２        Ｔ
ＦＮＯ      4.11505      5.74532      6.36855      6.68279
ω     42.27184     21.88249     10.96245      6.04244
Ｙ     20.89        21.70        21.70        21.70
ＴＬ    120.45755    140.80075    169.77272    195.4575
［レンズ諸元］
面番号        Ｒ          Ｄ          νｄ        ｎｄ
1        164.3654      2.0000      23.80      1.846660
2         73.5155      5.9893      67.90      1.593190
3      -2353.2843      0.1000
4         72.1741      4.8721      46.03      1.721059
5        384.7599      D1（可変）
6*       168.2036      1.5000      40.66      1.883000
7         15.8326      4.3451
8        -82.6447      1.5000      40.66      1.883000
9         46.2086      0.1000
10        30.2898      4.8789      23.29      1.872769
11       -32.6789      0.7547
12       -24.9555      1.5000      40.66      1.883000
13*    -2867.4336      D2（可変）
14          ∞         1.5000                          （絞りＳ）
15*       24.1510      3.7103      57.75      1.633994
16       594.5882      1.0000
17        70.2793      1.5000      35.28      1.801392
18        17.4502      4.9253      46.90      1.702987
19      -111.3896      1.2478
20       -65.1233      1.5000      44.85      1.743972
21          ∞         D3（可変）
22       132.6869      3.6334      82.57      1.497820
23       -33.2203      1.5000      23.99      1.871866
24       -81.5274      0.1000
25        26.2321      1.5000      40.98      1.869660
26        16.8448      7.0033      57.83      1.512954
27*      -36.7178      D4（可変）
28       100.0646      3.3139      24.26      1.791180
29       -60.0000      1.5000      40.12      1.851080
30*       35.0435      D5（可変）
31       -19.8065      1.5000      40.79      1.877404
32       -36.0179      0.1000
33      -118.6453      3.6033      27.58      1.755201
34       -51.9780      BF
［非球面データ］
第６面
κ=2.0000,A4=-3.54713E-06,A6=8.39421E-09
A8=5.74900E-12,A10=-2.30186E-14,A12=0.00000E+00
第１３面
κ=1.0000,A4=-8.88610E-06,A6=8.60054E-10
A8=9.35296E-11,A10=-8.32892E-13,A12=0.00000E+00
第１５面
κ=1.0000,A4=-1.25166E-05,A6=2.21212E-08
A8=-2.03902E-10,A10=7.07567E-13,A12=0.00000E+00
第２７面
κ=1.0000,A4=2.74577E-05,A6=-5.57744E-08
A8=3.60461E-10,A10=-1.20456E-12,A12=0.00000E+00
第３０面
κ=1.0000,A4=-6.49026E-06,A6=5.84808E-08
A8=-3.26107E-10,A10=9.49542E-13,A12=0.00000E+00
［レンズ群データ］
群      始面      焦点距離
G1        1        99.48878
G2        6       -15.91549
G3       15        36.81358
G4       22        35.33722
G5       28       -59.27007
G6       31      -101.60759
［可変間隔データ］
Ｗ            Ｍ１          Ｍ２          Ｔ
無限遠        無限遠        無限遠        無限遠
ｆ      24.70000      50.00001     105.00002     194.00004
D0        ∞            ∞            ∞            ∞
D1       1.50000      16.10146      35.16750      51.29406
D2      17.11600       9.70503       4.20600       1.50000
D3       7.94167       4.05851       2.07803       1.50000
D4       8.59873       5.64789       5.81781       1.50000
D5       9.32368      17.20284      18.29639      22.86408
BF       9.30000      21.40756      37.52953      50.12197
Ｗ            Ｍ１          Ｍ２          Ｔ
近距離        近距離        近距離        近距離
β      -0.06152      -0.11064      -0.19039      -0.28955
D0     370.9313      400.5881      451.6162      495.9313
D1       1.50000      16.10146      35.16750      51.29406
D2      17.11600       9.70503       4.20600       1.50000
D3       7.94167       4.05851       2.07803       1.50000
D4      10.20432       7.93636      10.79923      11.04504
D5       7.71809      14.91438      13.31498      13.31904
BF       9.32674      21.49415      37.78613      50.71489
［条件式対応値］
条件式（１）  Ｍｖ４／Ｍｖ３＝1.158
条件式（２）  Ｍｖ２／ｆｗ＝1.017
条件式（３）  ｆｔ／ｆｗ＝7.890
条件式（４）  ωｗ＝42.272
条件式（５）  ωｔ＝6.042
条件式（６）  ｆｗ／ｆ１２３ｗ＝0.227
条件式（７）  ｆｔ／ｆ１２３ｔ＝-0.171
条件式（８）  ＢＦｗ／ｆｗ＝0.375
条件式（９）  （−ｆ５）／ｆｗ＝2.392
条件式（１０）  Ｍｖ５／Ｍｖ６＝1.332
条件式（１１）  Ｍｖ１／（ｆｔ−ｆｗ）＝0.439
条件式（１２）  （ＲＡｒ２＋ＲＡｒ１）／（ＲＡｒ２−ＲＡｒ１）＝1.872【０１６１】
図２０（Ａ）、および図２０（Ｂ）はそれぞれ、第７実施例に係る変倍光学系の広角端状態、および望遠端状態における無限遠合焦時の諸収差図である。図２１（Ａ）、および図２１（Ｂ）はそれぞれ、第７実施例に係る変倍光学系の広角端状態、および望遠端状態におけるブレ補正を行った際のコマ収差図である。各諸収差図より、第７実施例に係る変倍光学系は、諸収差が良好に補正され、優れた結像性能を有していることがわかる。【０１６２】
（第８実施例）
第８実施例について、図２２〜図２４および表８を用いて説明する。図２２は、第８実施例に係る変倍光学系の広角端状態における無限遠合焦時のレンズ構成図である。第８実施例に係る変倍光学系ＺＬ（８）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図２２の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１６３】
第１レンズ群Ｇ１は、物体側から順に並んだ、物体側に凸面を向けた負メニスカスレンズＬ１１と両凸形状の正レンズＬ１２との接合レンズと、物体側に凸面を向けた正メニスカスレンズＬ１３とから構成される。【０１６４】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。負メニスカスレンズＬ２１は、物体側のレンズ面が非球面である。【０１６５】
第３レンズ群Ｇ３は、物体側から順に並んだ、両凸形状の正レンズＬ３１と、物体側に凸面を向けた負メニスカスレンズＬ３２と両凸形状の正レンズＬ３３との接合レンズと、物体側に凹面を向けた負メニスカスレンズＬ３４とから構成される。【０１６６】
第４レンズ群Ｇ４は、物体側から順に並んだ、両凸形状の正レンズＬ４１と、物体側に凹面を向けた正メニスカスレンズＬ４２と物体側に凹面を向けた負メニスカスレンズＬ４３との接合レンズと、両凸形状の正レンズＬ４４とから構成される。正レンズＬ４４は、像面Ｉ側のレンズ面が非球面である。【０１６７】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０１６８】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。第６レンズ群Ｇ６の像側に、像面Ｉが配置される。【０１６９】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０１７０】
以下の表８に、第８実施例に係る変倍光学系の諸元の値を掲げる。【０１７１】
（表８）
［全体諸元］
変倍比  7.854
ｆ１２３ｗ＝-440.44611
ｆ１２３ｔ＝-323.78995
Ｗ          Ｍ１          Ｍ２        Ｔ
ＦＮＯ      4.12083      5.77298      6.33626      6.49162
ω     42.50455     22.44807     11.22387      6.10280
Ｙ     20.61        21.70        21.70        21.70
ＴＬ    120.46149    143.33661    170.26168    190.2487
［レンズ諸元］
面番号        Ｒ          Ｄ          νｄ        ｎｄ
1        119.2532      2.0000      25.26      1.902000
2         75.4740      6.1889      82.57      1.497820
3       -685.9404      0.1000
4         62.0223      5.1009      67.90      1.593190
5        237.4793      D1（可変）
6*       153.6662      1.5000      46.59      1.816000
7         15.5464      4.2474
8        -40.2333      1.5002      43.79      1.848500
9         79.6309      0.1006
10        32.2669      3.5980      22.74      1.808090
11       -38.3529      0.7346
12       -22.0127      1.5000      43.79      1.848500
13       -91.6465      D2（可変）
14          ∞         1.5000                          （絞りＳ）
15        44.5290      2.6559      44.85      1.743972
16       -81.3774      0.7000
17        33.2106      3.4046      30.99      1.940752
18        19.5338      3.9016      59.70      1.508752
19       -65.3422      1.3372
20       -26.7545      1.5000      29.68      1.730111
21      -101.6153      D3（可変）
22        33.1030      6.1030      70.40      1.487502
23       -28.7765      0.1000
24      -116.0123      3.4598      68.30      1.507497
25       -28.0491      1.5000      32.03      1.910214
26      -237.5876      0.2542
27        95.5133      3.1295      59.13      1.611115
28*      -51.7400      D4（可変）
29       333.8201      3.4464      22.74      1.808090
30       -49.9705      1.5000      44.82      1.743986
31*       31.2247      D5（可変）
32       -27.4502      1.5000      66.16      1.531180
33       -59.8926      0.1000
34       164.9552      2.6581      27.80      1.749763
35      -519.6427      BF
［非球面データ］
第６面
κ=1.0000,A4=2.54661E-06,A6=1.57681E-08
A8=-1.62633E-10,A10=6.99665E-13,A12=0.00000E+00
第２８面
κ=1.0000,A4=2.83706E-05,A6=-3.41484E-08
A8=2.83345E-10,A10=-4.50609E-13,A12=0.00000E+00
第３１面
κ=1.0000,A4=-4.24770E-06,A6=6.21761E-08
A8=-2.79037E-10,A10=4.34156E-13,A12=0.00000E+00
［レンズ群データ］
群      始面      焦点距離
G1        1        99.94559
G2        6       -15.36108
G3       15        40.04464
G4       22        30.83594
G5       29       -50.14179
G6       32      -238.46610
［可変間隔データ］
Ｗ            Ｍ１          Ｍ２          Ｔ
無限遠        無限遠        無限遠        無限遠
ｆ      24.69999      49.99998     104.99995     193.99998
D0        ∞            ∞            ∞            ∞
D1       1.50000      18.29170      34.70486      54.28408
D2      15.49680      10.23739       4.55937       1.50000
D3      10.63532       4.97092       1.81398       1.50000
D4       8.89670       4.43383       5.19646       1.51052
D5       9.31183      19.43911      21.83341      25.83333
BF       9.29998      20.64280      36.83273      40.29998
Ｗ            Ｍ１          Ｍ２          Ｔ
近距離        近距離        近距離        近距離
β      -0.06119      -0.09874      -0.16976      -0.27724
D0     371.9273      449.0522      522.1271      502.1400
D1       1.50000      18.29170      34.70486      54.28408
D2      15.49680      10.23739       4.55937       1.50000
D3      10.63532       4.97092       1.81398       1.50000
D4      10.32916       6.26965       9.16937      12.36360
D5       7.87937      17.60328      17.86051      14.98025
BF       9.32282      20.70243      37.00914      40.76930
［条件式対応値］
条件式（１）  Ｍｖ４／Ｍｖ３＝1.295
条件式（２）  Ｍｖ２／ｆｗ＝0.688
条件式（３）  ｆｔ／ｆｗ＝7.854
条件式（４）  ωｗ＝42.505
条件式（５）  ωｔ＝6.103
条件式（６）  ｆｗ／ｆ１２３ｗ＝-0.056
条件式（７）  ｆｔ／ｆ１２３ｔ＝-0.599
条件式（８）  ＢＦｗ／ｆｗ＝0.377
条件式（９）  （−ｆ５）／ｆｗ＝2.030 
条件式（１０）  Ｍｖ５／Ｍｖ６＝1.533
条件式（１１）  Ｍｖ１／（ｆｔ−ｆｗ）＝0.412
条件式（１２）  （ＲＡｒ２＋ＲＡｒ１）／（ＲＡｒ２−ＲＡｒ１）＝0.467【０１７２】
図２３（Ａ）、および図２３（Ｂ）はそれぞれ、第８実施例に係る変倍光学系の広角端状態、および望遠端状態における無限遠合焦時の諸収差図である。図２４（Ａ）、および図２４（Ｂ）はそれぞれ、第８実施例に係る変倍光学系の広角端状態、および望遠端状態におけるブレ補正を行った際のコマ収差図である。各諸収差図より、第８実施例に係る変倍光学系は、諸収差が良好に補正され、優れた結像性能を有していることがわかる。【０１７３】
（第９実施例）
第９実施例について、図２５〜図２７および表９を用いて説明する。図２５は、第９実施例に係る変倍光学系の広角端状態における無限遠合焦時のレンズ構成図である。第９実施例に係る変倍光学系ＺＬ（９）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図２５の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１７４】
第１レンズ群Ｇ１は、物体側から順に並んだ、物体側に凸面を向けた負メニスカスレンズＬ１１と像面Ｉ側に平面を向けた平凸形状の正レンズＬ１２との接合レンズと、物体側に凸面を向けた正メニスカスレンズＬ１３とから構成される。【０１７５】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。負メニスカスレンズＬ２１は、物体側のレンズ面が非球面である。負メニスカスレンズＬ２４は、像面Ｉ側のレンズ面が非球面である。【０１７６】
第３レンズ群Ｇ３は、物体側から順に並んだ、両凸形状の正レンズＬ３１と、両凸形状の正レンズＬ３２と物体側に凹面を向けた負メニスカスレンズＬ３３との接合レンズと、両凹形状の負レンズＬ３４と物体側に凸面を向けた正メニスカスレンズＬ３５との接合レンズとから構成される。正レンズＬ３１は、物体側のレンズ面が非球面である。負レンズＬ３４は、物体側のレンズ面が非球面である。【０１７７】
第４レンズ群Ｇ４は、物体側から順に並んだ、物体側に凸面を向けた負メニスカスレンズＬ４１と両凸形状の正レンズＬ４２との接合レンズと、両凸形状の正レンズＬ４３とから構成される。正レンズＬ４３は、像面Ｉ側のレンズ面が非球面である。【０１７８】
第５レンズ群Ｇ５は、両凸形状の正レンズＬ５１と両凹形状の負レンズＬ５２との接合レンズから構成される。【０１７９】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。第６レンズ群Ｇ６の像側に、像面Ｉが配置される。【０１８０】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負レンズＬ３４と正メニスカスレンズＬ３５との接合レンズが、光軸と垂直な方向へ移動可能な負の屈折力を有する防振群を構成し、手ブレ等による結像位置の変位（像面Ｉ上の像ブレ）を補正する。【０１８１】
以下の表９に、第９実施例に係る変倍光学系の諸元の値を掲げる。【０１８２】
（表９）
［全体諸元］
変倍比  7.854
ｆ１２３ｗ＝46.29531
ｆ１２３ｔ＝1060.13724
Ｗ          Ｍ１          Ｍ２        Ｔ
ＦＮＯ      4.11505      5.74532      6.36855      6.68279
ω     42.27184     21.88249     10.96245      6.04244
Ｙ     21.03        21.70        21.70        21.70
ＴＬ    121.00241    139.79338    169.47903    195.5079
［レンズ諸元］
面番号        Ｒ          Ｄ          νｄ        ｎｄ
1        215.1564      1.5000      23.80      1.846660
2         73.5337      7.2326      67.90      1.593190
3           ∞         0.1000
4         75.0074      5.6048      40.66      1.883000
5        344.8006      D1（可変）
6*        43.3708      1.5000      40.66      1.883000
7         13.2343      4.8088
8        -47.4291      1.5052      40.66      1.883000
9         43.0037      0.1000
10        28.6036      4.0197      20.88      1.922860
11       -55.9891      1.1418
12       -23.0332      1.5000      40.66      1.883000
13*      -75.5957      D2（可変）
14          ∞         1.5000                          （絞りＳ）
15*       28.4224      4.3742      52.85      1.598604
16       -48.8993      0.1504
17        30.2173      5.4129      70.40      1.487490
18       -31.5840      1.5000      21.23      1.903627
19      -130.7132      1.2693
20*     -107.8541      1.5000      41.09      1.854203
21        30.6579      3.0466      26.18      1.822542
22       165.6444      D3（可変）
23        33.3486      1.5007      40.66      1.883000
24        13.1929      6.5567      65.07      1.544771
25      -190.2474      0.7289
26        37.5609      4.7319      62.98      1.574225
27*      -76.3130      D4（可変）
28        80.1779      3.4856      27.58      1.755201
29      -127.8937      1.5007      45.13      1.740338
30        26.5334      D5（可変）
31       -26.2026      1.5000      60.35      1.619799
32       -54.6221      0.1000
33       586.6701      2.5595      28.29      1.738351
34      -391.8753      BF
［非球面データ］
第６面
κ=1.0000,A4=-6.29772E-06,A6=-1.23182E-08
A8=7.32161E-11,A10=-3.10876E-13,A12=0.00000E+00
第１３面
κ=1.0000,A4=-8.92953E-06,A6=-3.71644E-08
A8=8.09196E-10,A10=-5.73691E-12,A12=0.00000E+00
第１５面
κ=1.0000,A4=-1.00000E-05,A6=2.20240E-08
A8=-1.02146E-10,A10=0.00000E+00,A12=0.00000E+00
第２０面
κ=1.0000,A4=3.32815E-06,A6=1.66254E-09
A8=0.00000E+00,A10=0.00000E+00,A12=0.00000E+00
第２７面
κ=1.0000,A4=1.00000E-05,A6=-3.83755E-08
A8=-1.30773E-10,A10=-1.22891E-12,A12=0.00000E+00
［レンズ群データ］
群      始面      焦点距離
G1        1       102.37710
G2        6       -14.98474
G3       15        29.62517
G4       23        38.66055
G5       28       -56.76096
G6       31      -113.46417
［可変間隔データ］
Ｗ            Ｍ１          Ｍ２          Ｔ
無限遠        無限遠        無限遠        無限遠
ｆ      24.70007      50.00020     105.00052     194.00105
D0        ∞            ∞            ∞            ∞
D1       1.50000      18.30775      37.76411      54.05443
D2      18.03389       8.85777       3.84960       1.50000
D3       6.37316       1.62225       1.50000       1.64117
D4       2.43986       3.20131       6.09526       1.50000
D5       9.22531      23.30380      13.81143      17.88006
BF      13.00010      14.07041      36.02852      48.50219
Ｗ            Ｍ１          Ｍ２          Ｔ
近距離        近距離        近距離        近距離
β      -0.08175      -0.12239      -0.19581      -0.27905
D0     272.2777      353.4868      423.8013      497.7725
D1       1.50000      18.30775      37.76411      54.05443
D2      18.03389       8.85777       3.84960       1.50000
D3       6.37316       1.62225       1.50000       1.64117
D4       4.23169       6.02328      12.47110      12.78692
D5       7.43347      20.48182       7.43559       6.59314
BF      13.03743      14.15445      36.24396      48.93981
［条件式対応値］
条件式（１）  Ｍｖ４／Ｍｖ３＝1.123
条件式（２）  Ｍｖ２／ｆｗ＝0.889
条件式（３）  ｆｔ／ｆｗ＝7.887
条件式（４）  ωｗ＝42.272
条件式（５）  ωｔ＝6.042
条件式（６）  ｆｗ／ｆ１２３ｗ＝0.534
条件式（７）  ｆｔ／ｆ１２３ｔ＝0.179
条件式（８）  ＢＦｗ／ｆｗ＝0.526
条件式（９）  （−ｆ５）／ｆｗ＝2.298
条件式（１０）  Ｍｖ５／Ｍｖ６＝1.244
条件式（１１）  Ｍｖ１／（ｆｔ−ｆｗ）＝0.438
条件式（１２）  （ＲＡｒ２＋ＲＡｒ１）／（ＲＡｒ２−ＲＡｒ１）＝0.830【０１８３】
図２６（Ａ）、および図２６（Ｂ）はそれぞれ、第９実施例に係る変倍光学系の広角端状態、および望遠端状態における無限遠合焦時の諸収差図である。図２７（Ａ）、および図２７（Ｂ）はそれぞれ、第９実施例に係る変倍光学系の広角端状態、および望遠端状態におけるブレ補正を行った際のコマ収差図である。各諸収差図より、第９実施例に係る変倍光学系は、諸収差が良好に補正され、優れた結像性能を有していることがわかる。【０１８４】
（第１０実施例）
第１０実施例について、図２８〜図３０および表１０を用いて説明する。図２８は、第１０実施例に係る変倍光学系の広角端状態における無限遠合焦時のレンズ構成図である。第１０実施例に係る変倍光学系ＺＬ（１０）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図２８の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１８５】
第１レンズ群Ｇ１は、物体側から順に並んだ、物体側に凸面を向けた負メニスカスレンズＬ１１と物体側に凸面を向けた正メニスカスレンズＬ１２との接合レンズと、物体側に凸面を向けた正メニスカスレンズＬ１３とから構成される。【０１８６】
第２レンズ群Ｇ２は、物体側から順に並んだ、物体側に凸面を向けた負メニスカスレンズＬ２１と、両凹形状の負レンズＬ２２と、両凸形状の正レンズＬ２３と、両凹形状の負レンズＬ２４とから構成される。【０１８７】
第３レンズ群Ｇ３は、物体側から順に並んだ、物体側に凸面を向けた正メニスカスレンズＬ３１と、物体側に凸面を向けた負メニスカスレンズＬ３２と両凸形状の正レンズＬ３３との接合レンズと、物体側に凹面を向けた負メニスカスレンズＬ３４とから構成される。【０１８８】
第４レンズ群Ｇ４は、物体側から順に並んだ、両凸形状の正レンズＬ４１と物体側に凹面を向けた負メニスカスレンズＬ４２との接合レンズと、物体側に凸面を向けた負メニスカスレンズＬ４３と両凸形状の正レンズＬ４４との接合レンズとから構成される。正レンズＬ４４は、像面Ｉ側のレンズ面が非球面である。【０１８９】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０１９０】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。第６レンズ群Ｇ６の像側に、像面Ｉが配置される。【０１９１】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０１９２】
以下の表１０に、第１０実施例に係る変倍光学系の諸元の値を掲げる。【０１９３】
（表１０）
［全体諸元］
変倍比  4.692
ｆ１２３ｗ＝-96.28619
ｆ１２３ｔ＝-88.05735
Ｗ          Ｍ１          Ｍ２        Ｔ
ＦＮＯ      3.66063      4.51062      5.00831      5.83006
ω     42.43419     22.44766     13.66195     10.17394
Ｙ     20.54        21.70        21.70        21.70
ＴＬ    116.50601    138.64669    160.34507    171.5048
［レンズ諸元］
面番号        Ｒ          Ｄ          νｄ        ｎｄ
1        200.0000      2.0000      23.80      1.846660
2        108.2337      4.6568      70.32      1.487490
3       1133.5711      0.1000
4         68.7807      5.7029      70.32      1.487490
5        816.5190      D1（可変）
6        102.0974      1.2000      46.59      1.816000
7         17.6075      4.9760
8        -59.3363      1.1000      51.28      1.659368
9         81.2225      0.1000
10        29.1388      3.9898      23.80      1.846660
11      -107.8110      0.8213
12       -38.4600      1.0000      46.59      1.816000
13       157.0586      D2（可変）
14          ∞         2.0000                          （絞りＳ）
15        41.9442      2.5619      35.72      1.902650
16       552.5411      0.5000
17        41.0223      0.9000      29.12      2.001000
18        23.0700      4.0200      53.74      1.579570
19       -69.7834      1.5452
20       -27.7457      1.0000      32.33      1.953750
21       -68.0384      D3（可変）
22        33.5256      5.9460      46.59      1.816000
23       -23.9703      1.0000      32.35      1.850260
24       -83.2531      0.1000
25        30.5301      1.1000      32.35      1.850260
26        14.8810     10.3852      70.32      1.487490
27*     -119.0936      D4（可変）
28        81.3890      3.7144      23.80      1.846660
29       -48.0181      1.0000      42.73      1.834810
30*       23.7254      D5（可変）
31       -24.5058      1.4000      46.59      1.816000
32       -48.4638      0.1000
33       142.4943      3.2707      37.57      1.683760
34      -160.0000      BF
［非球面データ］
第２７面
κ=1.0000,A4=4.39579E-05,A6=-4.15837E-09
A8=6.65149E-10,A10=0.00000E+00,A12=0.00000E+00
第３０面
κ=1.0000,A4=-2.71688E-06,A6=1.79186E-08
A8=-3.84607E-10,A10=0.00000E+00,A12=0.00000E+00
［レンズ群データ］
群      始面      焦点距離
G1        1       143.63567
G2        6       -20.08403
G3       15        60.03586
G4       22        25.77538
G5       28       -42.36974
G6       31      -151.12346
［可変間隔データ］
Ｗ            Ｍ１          Ｍ２          Ｔ
無限遠        無限遠        無限遠        無限遠
ｆ      24.72617      50.01050      85.01086     116.00340
D0        ∞            ∞            ∞            ∞
D1       1.50000      23.91054      40.85381      47.19819
D2      17.00636       9.20443       4.57783       1.50000
D3       9.28353       3.49337       1.15783       0.30000
D4       2.84012       1.14718       1.49326       3.00287
D5       7.97989      15.46299      17.45245      16.80067
BF      11.70601      19.23807      28.61979      36.51305
Ｗ            Ｍ１          Ｍ２          Ｔ
近距離        近距離        近距離        近距離
β      -0.06049      -0.09676      -0.16160      -0.22064
D0     377.2840      455.1463      433.4475      422.2840
D1       1.50000      23.91054      40.85381      47.19819
D2      17.00636       9.20443       4.57783       1.50000
D3       9.28353       3.49337       1.15783       0.30000
D4       3.90798       2.82710       4.74497       7.99347
D5       6.91203      13.78307      14.20074      11.81007
BF      11.72550      19.28822      28.75888      36.77070
［条件式対応値］
条件式（１）  Ｍｖ４／Ｍｖ３＝1.362
条件式（２）  Ｍｖ２／ｆｗ＝0.376
条件式（３）  ｆｔ／ｆｗ＝4.692
条件式（４）  ωｗ＝42.434
条件式（５）  ωｔ＝10.174
条件式（６）  ｆｗ／ｆ１２３ｗ＝-0.257
条件式（７）  ｆｔ／ｆ１２３ｔ＝-1.323
条件式（８）  ＢＦｗ／ｆｗ＝0.473
条件式（９）  （−ｆ５）／ｆｗ＝1.714
条件式（１０）  Ｍｖ５／Ｍｖ６＝1.356
条件式（１１）  Ｍｖ１／（ｆｔ−ｆｗ）＝0.603
条件式（１２）  （ＲＡｒ２＋ＲＡｒ１）／（ＲＡｒ２−ＲＡｒ１）＝0.492【０１９４】
図２９（Ａ）、および図２９（Ｂ）はそれぞれ、第１０実施例に係る変倍光学系の広角端状態、および望遠端状態における無限遠合焦時の諸収差図である。図３０（Ａ）、および図３０（Ｂ）はそれぞれ、第１０実施例に係る変倍光学系の広角端状態、および望遠端状態におけるブレ補正を行った際のコマ収差図である。各諸収差図より、第１０実施例に係る変倍光学系は、諸収差が良好に補正され、優れた結像性能を有していることがわかる。【０１９５】
（第１１実施例）
第１１実施例について、図３１〜図３３および表１１を用いて説明する。図３１は、第１１実施例に係る変倍光学系の広角端状態における無限遠合焦時のレンズ構成図である。第１１実施例に係る変倍光学系ＺＬ（１１）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図３１の矢印で示す方向に移動し、隣り合う各レンズ群の間隔が変化する。なお、変倍の際、開口絞りＳと第３レンズ群Ｇ３と第６レンズ群Ｇ６とが一体的に移動する。【０１９６】
第１レンズ群Ｇ１は、物体側から順に並んだ、物体側に凸面を向けた負メニスカスレンズＬ１１と物体側に凸面を向けた正メニスカスレンズＬ１２との接合レンズと、物体側に凸面を向けた正メニスカスレンズＬ１３とから構成される。【０１９７】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。【０１９８】
第３レンズ群Ｇ３は、物体側から順に並んだ、両凸形状の正レンズＬ３１と、物体側に凸面を向けた負メニスカスレンズＬ３２と両凸形状の正レンズＬ３３との接合レンズと、物体側に凹面を向けた負メニスカスレンズＬ３４とから構成される。【０１９９】
第４レンズ群Ｇ４は、物体側から順に並んだ、両凸形状の正レンズＬ４１と両凹形状の負レンズＬ４２との接合レンズと、物体側に凸面を向けた負メニスカスレンズＬ４３と両凸形状の正レンズＬ４４との接合レンズとから構成される。正レンズＬ４４は、像面Ｉ側のレンズ面が非球面である。【０２００】
第５レンズ群Ｇ５は、物体側に凹面を向けた正メニスカスレンズＬ５１と両凹形状の負レンズＬ５２との接合レンズから構成される。負レンズＬ５２は、像面Ｉ側のレンズ面が非球面である。【０２０１】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。第６レンズ群Ｇ６の像側に、像面Ｉが配置される。【０２０２】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０２０３】
以下の表１１に、第１１実施例に係る変倍光学系の諸元の値を掲げる。【０２０４】
（表１１）
［全体諸元］
変倍比  3.438
ｆ１２３ｗ＝2466.12612
ｆ１２３ｔ＝-146.93338
Ｗ          Ｍ１          Ｍ２        Ｔ
ＦＮＯ      3.65039      4.00020        ―         4.50024
ω     43.52469    -22.45389        ―        13.66502
Ｙ     21.27        21.70           ―         21.70
ＴＬ    116.50677    138.27327        ―        161.50351
［レンズ諸元］
面番号        Ｒ          Ｄ          νｄ        ｎｄ
1        200.0000      2.0000      23.80      1.846660
2        112.4996      4.3442      70.32      1.487490
3        642.3642      0.1000
4         64.3082      6.0839      70.32      1.487490
5       1033.4518      D1（可変）
6         91.5822      1.2000      46.59      1.816000
7         16.7434      5.0969
8       -135.4549      1.1000      50.66      1.670176
9         31.8729      0.1000
10        24.8799      4.1715      23.80      1.846660
11      -336.6794      1.4309
12       -32.2164      1.0000      46.59      1.816000
13      -277.8484      D2（可変）
14          ∞         2.0000                          （絞りＳ）
15        41.4933      2.7587      43.79      1.848500
16     -1372.9949      0.5000
17        55.1173      0.9000      34.87      1.847939
18        24.3945      4.0805      56.69      1.586546
19       -76.2325      1.8582
20       -25.5665      1.0000      34.04      1.847872
21       -37.7016      D3（可変）
22        46.4011      6.1027      46.59      1.816000
23       -43.4919      1.0000      26.59      1.847083
24       397.5382      0.1000
25        28.7499      1.1000      32.35      1.850260
26        18.0000     11.1086      70.32      1.487490
27*      -25.6478      D4（可変）
28      -713.8966      3.6653      23.80      1.846660
29       -42.0000      1.0000      45.28      1.796882
30*       31.7158      D5（可変）
31       -19.7135      1.4000      62.26      1.536206
32       -42.7591      0.1000
33       217.1940      3.3164      37.57      1.683760
34      -160.0000      BF
［非球面データ］
第２７面
κ=1.0000,A4=6.15332E-05,A6=-2.11407E-07
A8=7.47121E-10,A10=-1.12141E-12,A12=0.00000E+00
第３０面
κ=1.0000,A4=-1.68999E-05,A6=1.65258E-07
A8=-4.68439E-10,A10=7.74341E-13,A12=0.00000E+00
［レンズ群データ］
群      始面      焦点距離
G1        1       135.65910
G2        6       -17.91192
G3       15        42.22744
G4       22        26.33888
G5       28       -39.70963
G6       31      -150.62287
［可変間隔データ］
Ｗ            Ｍ１          Ｍ２          Ｔ
無限遠        無限遠        無限遠        無限遠
ｆ      24.72587      50.00755        ―          85.00361
D0        ∞            ∞            ―            ∞
D1       1.50000      24.03902        ―          40.38368
D2      13.72037       5.30562        ―           1.50000
D3       8.95150       2.76337        ―           0.30000
D4       1.97894       1.51459        ―           1.15589
D5      10.03133      16.68380        ―          19.50588
BF      11.70677      19.34900        ―          30.04020
Ｗ            Ｍ１          Ｍ２          Ｔ
近距離        近距離        近距離        近距離
β      -0.06066      -0.11959        ―          -0.19908
D0     377.2840      355.5169         ―         332.2840
D1       1.50000      24.03902        ―          40.38368
D2      13.72037       5.30562        ―           1.50000
D3       8.95150       2.76337        ―           0.30000
D4       2.78309       3.22774        ―           4.28073
D5       9.22718      14.97065        ―          16.38104
BF      11.72684      19.42705        ―          30.25539
［条件式対応値］
条件式（１）  Ｍｖ４／Ｍｖ３＝1.472
条件式（２）  Ｍｖ２／ｆｗ＝0.247
条件式（３）  ｆｔ／ｆｗ＝3.438
条件式（４）  ωｗ＝43.525
条件式（５）  ωｔ＝13.665
条件式（６）  ｆｗ／ｆ１２３ｗ＝0.010
条件式（７）  ｆｔ／ｆ１２３ｔ＝-0.579
条件式（８）  ＢＦｗ／ｆｗ＝0.473
条件式（９）  （−ｆ５）／ｆｗ＝1.616
条件式（１０）  Ｍｖ５／Ｍｖ６＝1.517
条件式（１１）  Ｍｖ１／（ｆｔ−ｆｗ）＝0.746
条件式（１２）  （ＲＡｒ２＋ＲＡｒ１）／（ＲＡｒ２−ＲＡｒ１）＝0.671【０２０５】
図３２（Ａ）、および図３２（Ｂ）はそれぞれ、第１１実施例に係る変倍光学系の広角端状態、および望遠端状態における無限遠合焦時の諸収差図である。図３３（Ａ）、および図３３（Ｂ）はそれぞれ、第１１実施例に係る変倍光学系の広角端状態、および望遠端状態におけるブレ補正を行った際のコマ収差図である。各諸収差図より、第１１実施例に係る変倍光学系は、諸収差が良好に補正され、優れた結像性能を有していることがわかる。【０２０６】
（第１２実施例）
第１２実施例について、図３４〜図３６および表１２を用いて説明する。図３４は、第１２実施例に係る変倍光学系の広角端状態における無限遠合焦時のレンズ構成図である。第１２実施例に係る変倍光学系ＺＬ（１２）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、および第５レンズ群Ｇ５は、光軸に沿って図３４の矢印で示す方向に移動し、隣り合う各レンズ群の間隔が変化する。なお、変倍の際、開口絞りＳと第３レンズ群Ｇ３と第５レンズ群Ｇ５とが一体的に移動する。【０２０７】
第１レンズ群Ｇ１は、物体側から順に並んだ、物体側に凸面を向けた負メニスカスレンズＬ１１と、両凸形状の正レンズＬ１２と、物体側に凸面を向けた正メニスカスレンズＬ１３とから構成される。【０２０８】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。【０２０９】
第３レンズ群Ｇ３は、物体側から順に並んだ、両凸形状の正レンズＬ３１と、物体側に凸面を向けた負メニスカスレンズＬ３２と両凸形状の正レンズＬ３３との接合レンズと、両凹形状の負レンズＬ３４とから構成される。【０２１０】
第４レンズ群Ｇ４は、物体側から順に並んだ、両凸形状の正レンズＬ４１と物体側に凹面を向けた負メニスカスレンズＬ４２との接合レンズと、物体側に凸面を向けた負メニスカスレンズＬ４３と両凸形状の正レンズＬ４４との接合レンズと、両凸形状の正レンズＬ４５と両凹形状の負レンズＬ４６との接合レンズとから構成される。正レンズＬ４４は、像面Ｉ側のレンズ面が非球面である。負レンズＬ４６は、像面Ｉ側のレンズ面が非球面である。【０２１１】
第５レンズ群Ｇ５は、物体側から順に並んだ、物体側に凹面を向けた負メニスカスレンズＬ５１と、両凸形状の正レンズＬ５２とから構成される。負メニスカスレンズＬ５１は、像面Ｉ側のレンズ面が非球面である。第５レンズ群Ｇ５の像側に、像面Ｉが配置される。【０２１２】
本実施例では、第４レンズ群Ｇ４における正レンズＬ４５と負レンズＬ４６との接合レンズを像面Ｉ側へ移動させることにより、遠距離物体から近距離物体（無限遠物体から有限距離物体）への合焦が行われる。なお、近距離物体合焦時の変倍の際、第４レンズ群における正レンズＬ４１と負メニスカスレンズＬ４２との接合レンズおよび負メニスカスレンズＬ４３と正レンズＬ４４との接合レンズに対し、合焦群である正レンズＬ４５と負レンズＬ４６との接合レンズが異なる移動量で移動する。無限遠物体合焦時の変倍の際、第４レンズ群Ｇ４の全てのレンズが一体的に移動する。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０２１３】
以下の表１２に、第１２実施例に係る変倍光学系の諸元の値を掲げる。【０２１４】
（表１２）
［全体諸元］
変倍比  7.848
ｆ１２３ｗ＝-297.77158
ｆ１２３ｔ＝-199.23081
Ｗ          Ｍ１          Ｍ２        Ｔ
ＦＮＯ      4.12000      5.69956      6.30000      6.50003
ω     42.96973     22.56096     11.03929      6.08825
Ｙ     21.29        21.70        21.70        21.70
ＴＬ    129.0507     143.6432     173.1936     191.4323
［レンズ諸元］
面番号        Ｒ          Ｄ          νｄ        ｎｄ
1        181.0189      2.0855      31.27      1.90366
2         74.7364      0.8982
3         78.3131      6.0267      67.90      1.59319
4       -878.3490      0.1429
5         65.0716      4.8340      67.90      1.59319
6        661.4054      D1（可変）
7        171.3932      1.1000      35.72      1.90265
8         18.9469      5.2527
9        -57.6716      1.0000      52.33      1.75500
10        53.7286      0.4722
11        34.8478      3.1650      20.88      1.92286
12       -81.2943      1.3566
13       -31.9419      0.9000      46.59      1.81600
14      -487.1030      D2（可変）
15          ∞         2.0101                          （絞りＳ）
16        45.9039      2.3316      35.72      1.90265
17      -163.4046      0.5000
18        33.6170      1.1581      29.12      2.00100
19        19.7670      3.5655      53.74      1.57957
20       -85.9122      1.3700
21       -41.3606      1.0329      32.33      1.95375
22      1717.1475      D3（可変）
23        37.7633      4.9751      42.73      1.83481
24       -38.9447      1.0000      31.27      1.90366
25      -804.1582      0.1000
26        29.7427      3.0986      32.33      1.95375
27        15.4408      8.8739      81.49      1.49710
28*      -39.9876      D4（可変）
29     10338.5730      3.6738      23.80      1.84666
30       -27.6080      1.0000      40.13      1.85135
31*       31.8891      D5（可変）
32       -29.8624      1.4000      40.13      1.85135
33*      -63.8559      0.1000
34        66.4034      4.5715      37.57      1.68376
35      -424.4531      BF
［非球面データ］
第２８面
κ=1.0000,A4=2.91470E-05,A6=-1.17772E-07
A8=9.21285E-10,A10=-5.94865E-12,A12=0.14842E-13
第３１面
κ=1.0000,A4=-5.83910E-06,A6=1.34714E-07
A8=-1.32747E-09,A10=8.60735E-12,A12=-0.22325E-13
第３３面
κ=1.0000,A4=4.26328E-06,A6=-4.06929E-09
A8=4.06528E-11,A10=-1.22140E-13,A12=0.00000E+00
［レンズ群データ］
群      始面      焦点距離
G1        1       105.7291
G2        7       -16.8196
G3       16        48.27007
G4       23        44.51528
G5       32      -372.043
［可変間隔データ］
Ｗ            Ｍ１          Ｍ２          Ｔ
無限遠        無限遠        無限遠        無限遠
ｆ      24.72000      49.99999     104.99993     194.00004
D0        ∞            ∞            ∞            ∞
D1       1.73220      15.73205      40.41864      55.46338
D2      20.01315      10.99318       5.91904       1.09143
D3      13.56296       6.37783       3.44003       1.69135
D4       4.09147       4.09147       4.09147       4.09147
D5       9.90112      17.08625      20.02405      21.77273
BF      11.75486      21.36749      31.30545      39.32701
Ｗ            Ｍ１          Ｍ２          Ｔ
近距離        近距離        近距離        近距離
β      -0.06144      -0.10950      -0.17803      -0.26497
D0     370.94930     406.35680     476.80640     558.56770
D1       1.73220      15.73205      40.41864      55.46338
D2      20.01315      10.99318       5.91904       1.09143
D3      13.56296       6.37783       3.44003       1.69135
D4       4.89647       5.55202       7.55497      11.91843
D5       9.09612      15.62570      16.56055      13.94577
BF      11.75486      21.36749      31.30545      39.32701
［条件式対応値］
条件式（１）  Ｍｖ４／Ｍｖ３＝1.614
条件式（２）  Ｍｖ２／ｆｗ＝0.350
条件式（３）  ｆｔ／ｆｗ＝7.848
条件式（４）  ωｗ＝42.970
条件式（５）  ωｔ＝6.088
条件式（６）  ｆｗ／ｆ１２３ｗ＝-0.083
条件式（７）  ｆｔ／ｆ１２３ｔ＝-0.974
条件式（８）  ＢＦｗ／ｆｗ＝0.476
条件式（９）  （−ｆ５）／ｆｗ＝15.051
条件式（１１）  Ｍｖ１／（ｆｔ−ｆｗ）＝0.369【０２１５】
図３５（Ａ）、および図３５（Ｂ）はそれぞれ、第１２実施例に係る変倍光学系の広角端状態、および望遠端状態における無限遠合焦時の諸収差図である。図３６（Ａ）、および図３６（Ｂ）はそれぞれ、第１２実施例に係る変倍光学系の広角端状態、および望遠端状態におけるブレ補正を行った際のコマ収差図である。各諸収差図より、第１２実施例に係る変倍光学系は、諸収差が良好に補正され、優れた結像性能を有していることがわかる。【０２１６】
（第１３実施例）
第１３実施例について、図３７〜図３９および表１３を用いて説明する。図３７は、第１３実施例に係る変倍光学系の広角端状態における無限遠合焦時のレンズ構成図である。第１３実施例に係る変倍光学系ＺＬ（１３）は、物体側から順に並んだ、正の屈折力を有する第１レンズ群Ｇ１と、負の屈折力を有する第２レンズ群Ｇ２と、開口絞りＳと、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６と、正の屈折力を有する第７レンズ群Ｇ７とから構成される。広角端状態から望遠端状態への変倍の際、第１レンズ群Ｇ１、第２レンズ群Ｇ２、開口絞りＳ、第３レンズ群Ｇ３、第４レンズ群Ｇ４、第５レンズ群Ｇ５、および第６レンズ群Ｇ６は、光軸に沿って図３７の矢印で示す方向に移動し、隣り合う各レンズ群の間隔が変化する。なお、変倍の際、開口絞りＳと第３レンズ群Ｇ３と第６レンズ群Ｇ６とが一体的に移動する。また、変倍の際、第７レンズ群Ｇ７が像面Ｉに対して固定される。【０２１７】
第１レンズ群Ｇ１は、物体側から順に並んだ、物体側に凸面を向けた負メニスカスレンズＬ１１と、両凸形状の正レンズＬ１２と、物体側に凸面を向けた正メニスカスレンズＬ１３とから構成される。【０２１８】
第２レンズ群Ｇ２は、物体側から順に並んだ、物体側に凸面を向けた負メニスカスレンズＬ２１と、両凹形状の負レンズＬ２２と、両凸形状の正レンズＬ２３と、物体側に凹面を向けた負メニスカスレンズＬ２４とから構成される。【０２１９】
第３レンズ群Ｇ３は、物体側から順に並んだ、両凸形状の正レンズＬ３１と、物体側に凸面を向けた負メニスカスレンズＬ３２と両凸形状の正レンズＬ３３との接合レンズと、物体側に凹面を向けた負メニスカスレンズＬ３４とから構成される。【０２２０】
第４レンズ群Ｇ４は、物体側から順に並んだ、両凸形状の正レンズＬ４１と物体側に凹面を向けた負メニスカスレンズＬ４２との接合レンズと、物体側に凸面を向けた負メニスカスレンズＬ４３と両凸形状の正レンズＬ４４との接合レンズとから構成される。正レンズＬ４４は、像面Ｉ側のレンズ面が非球面である。【０２２１】
第５レンズ群Ｇ５は、両凸形状の正レンズＬ５１と両凹形状の負レンズＬ５２との接合レンズから構成される。負レンズＬ５２は、像面Ｉ側のレンズ面が非球面である。【０２２２】
第６レンズ群Ｇ６は、物体側から順に並んだ、物体側に凹面を向けた負メニスカスレンズＬ６１と、両凸形状の正レンズＬ６２とから構成される。負メニスカスレンズＬ６１と正レンズＬ６２との間に、空気レンズが形成されている。【０２２３】
第７レンズ群Ｇ７は、物体側に凹面を向けた正メニスカスレンズＬ７１から構成される。第７レンズ群Ｇ７の像側に、像面Ｉが配置される。【０２２４】
本実施例では、第５レンズ群Ｇ５を像面Ｉ側へ移動させることにより、遠距離物体から近距離物体（無限遠物体から有限距離物体）への合焦が行われる。また、本実施例では、第３レンズ群Ｇ３における負メニスカスレンズＬ３２と正レンズＬ３３との接合レンズが、光軸と垂直な方向へ移動可能な正の屈折力を有する防振群を構成し、手ブレ等による結像位置の変位（像面Ｉ上の像ブレ）を補正する。【０２２５】
以下の表１３に、第１３実施例に係る変倍光学系の諸元の値を掲げる。【０２２６】
（表１３）
［全体諸元］
変倍比  7.852
ｆ１２３ｗ＝-242.5247
ｆ１２３ｔ＝-265.90409
Ｗ          Ｍ１          Ｍ２        Ｔ
ＦＮＯ      4.12000      5.69956      6.30000      6.50003
ω     42.96973     22.56096     11.03929      6.08825
Ｙ     20.93        21.70        21.70        21.70
ＴＬ    127.52968    144.84356    169.66796    191.04949
［レンズ諸元］
面番号        Ｒ          Ｄ          νｄ        ｎｄ
1        183.1489      1.7000      31.27      1.90366
2         76.2993      0.8845
3         78.7954      6.1936      67.90      1.59319
4       -594.6799      0.1000
5         61.9988      5.6077      67.90      1.59319
6        371.0839      D1（可変）
7        190.1957      1.1000      35.72      1.90265
8         19.1266      5.1112
9        -52.1202      1.0000      52.33      1.75500
10        58.1840      0.5132
11        36.9591      3.1252      20.88      1.92286
12       -69.4993      0.6909
13       -34.0835      0.9000      46.59      1.81600
14    -15713.5710      D2（可変）
15          ∞         2.0000                          （絞りＳ）
16        40.7989      2.3289      35.72      1.90265
17      -299.8253      0.5000
18        38.9427      1.0000      29.12      2.00100
19        21.5486      3.5304      53.74      1.57957
20       -63.7114      1.3676
21       -35.4002      1.0000      32.33      1.95375
22      -265.5862      D3（可変）
23        37.7375      4.7476      42.73      1.83481
24       -37.5607      1.0000      31.27      1.90366
25      -325.9958      0.1000
26        31.4406      3.1004      32.33      1.95375
27        15.3849      8.5803      81.49      1.49710
28*      -42.3410      D4（可変）
29       572.4423      3.1728      23.80      1.84666
30       -34.5910      1.0000      40.13      1.85135
31*       31.5461      D5（可変）
32       -19.9700      1.4000      40.13      1.85135
33*      -28.8707      0.1000
34       136.4370      3.5760      37.57      1.68376
35      -114.7970      D6（可変）
36      -118.5432      2.3370      63.88      1.51680
37       -70.3002      BF
［非球面データ］
第２８面
κ=1.0000,A4=3.78774E-05,A6=-4.14498E-07
A8=6.80734E-09,A10=-6.10728E-11,A12=0.20806E-12
第３１面
κ=1.0000,A4=-1.36815E-05,A6=2.49099E-07
A8=-3.33308E-09,A10=2.73107E-11,A12=-0.88099E-13
第３３面
κ=1.0000,A4=1.98989E-06,A6=-1.03153E-08
A8=4.34935E-11,A10=-1.04756E-13,A12=0.00000E+00
［レンズ群データ］
群      始面      焦点距離
G1        1       103.06116
G2        7       -17.00821
G3       16        49.18043
G4       23        29.23287
G5       29       -39.13048
G6       32     -1300.48544
G7       36       328.82617
［可変間隔データ］
Ｗ            Ｍ１          Ｍ２          Ｔ
無限遠        無限遠        無限遠        無限遠
ｆ      24.72000      50.00000     104.99999     194.09403
D0        ∞            ∞            ∞            ∞
D1       1.50000      17.37231      39.57659      56.44287
D2      19.29037      11.03703       4.56142       1.16368
D3      12.96315       6.13632       3.05308       1.47831
D4       4.87593       4.10851       5.56324       1.90252
D5       9.73283      17.32708      18.95559      24.19108
D6       0.80000      10.49492      19.59067      27.50369
BF      10.60000      10.59999      10.59998      10.59995
Ｗ            Ｍ１          Ｍ２          Ｔ
近距離        近距離        近距離        近距離
β      -0.06123      -0.10885      -0.17758      -0.28031
D0     372.47030     405.15640     480.33200     508.95050
D1       1.50000      17.37231      39.57659      56.44287
D2      19.29037      11.03703       4.56142       1.16368
D3      12.96315       6.13632       3.05308       1.47831
D4       5.77372       5.76435       9.89727      11.65975
D5       8.83504      15.67124      14.62157      14.43385
D6       0.80000      10.49492      19.59067      27.50369
BF      11.75486      21.36749      31.30545      39.32701
［条件式対応値］
条件式（１）  Ｍｖ４／Ｍｖ３＝1.430
条件式（２）  Ｍｖ２／ｆｗ＝0.347
条件式（３）  ｆｔ／ｆｗ＝7.852
条件式（４）  ωｗ＝42.970
条件式（５）  ωｔ＝6.088
条件式（６）  ｆｗ／ｆ１２３ｗ＝-0.102
条件式（７）  ｆｔ／ｆ１２３ｔ＝-0.730
条件式（８）  ＢＦｗ／ｆｗ＝0.429
条件式（９）  （−ｆ５）／ｆｗ＝1.583
条件式（１０）  Ｍｖ５／Ｍｖ６＝1.541
条件式（１１）  Ｍｖ１／（ｆｔ−ｆｗ）＝0.375
条件式（１２）  （ＲＡｒ２＋ＲＡｒ１）／（ＲＡｒ２−ＲＡｒ１）
＝-0.651【０２２７】
図３８（Ａ）、および図３８（Ｂ）はそれぞれ、第１３実施例に係る変倍光学系の広角端状態、および望遠端状態における無限遠合焦時の諸収差図である。図３９（Ａ）、および図３９（Ｂ）はそれぞれ、第１３実施例に係る変倍光学系の広角端状態、および望遠端状態におけるブレ補正を行った際のコマ収差図である。各諸収差図より、第１３実施例に係る変倍光学系は、諸収差が良好に補正され、優れた結像性能を有していることがわかる。【０２２８】
各実施例によれば、球面収差等の諸収差が良好に補正された変倍光学系を実現することができる。【０２２９】
ここで、上記各実施例は本願発明の一具体例を示しているものであり、本願発明はこれらに限定されるものではない。【０２３０】
なお、以下の内容は、本実施形態に係る変倍光学系の光学性能を損なわない範囲で適宜採用することが可能である。【０２３１】
変倍光学系の数値実施例として、５群、６群、および７群構成のものを示したが、本願はこれに限られず、その他の群構成（例えば、４群や８群等）の変倍光学系を構成することもできる。具体的には、変倍光学系の最も物体側や最も像面側に、レンズまたはレンズ群を追加した構成でも構わない。なお、レンズ群とは、変倍時に変化する空気間隔で分離された、少なくとも１枚のレンズを有する部分を示す。【０２３２】
レンズ面は、球面または平面で形成されても、非球面で形成されても構わない。レンズ面が球面または平面の場合、レンズ加工および組立調整が容易になり、加工および組立調整の誤差による光学性能の劣化を防げるので好ましい。また、像面がずれた場合でも描写性能の劣化が少ないので好ましい。【０２３３】
レンズ面が非球面の場合、非球面は、研削加工による非球面、ガラスを型で非球面形状に形成したガラスモールド非球面、ガラスの表面に樹脂を非球面形状に形成した複合型非球面のいずれでも構わない。また、レンズ面は回折面としても良く、レンズを屈折率分布型レンズ（ＧＲＩＮレンズ）あるいはプラスチックレンズとしても良い。【０２３４】
各レンズ面には、フレアやゴーストを軽減し、コントラストの高い光学性能を達成するために、広い波長域で高い透過率を有する反射防止膜を施しても良い。これにより、フレアやゴーストを軽減し、高コントラストの高い光学性能を達成することができる。
【符号の説明】
【０２３５】
Ｇ１  第１レンズ群                    Ｇ２  第２レンズ群
Ｇ３  第３レンズ群                    Ｇ４  第４レンズ群
Ｇ５  第５レンズ群                    Ｇ６  第６レンズ群
Ｇ７  第７レンズ群
Ｉ  像面                              Ｓ  開口絞り
【図１】
2020157904.tif 000003
【図２】
2020157904.tif 000004
【図３】
2020157904.tif 000005
【図４】
2020157904.tif 000006
【図５】
2020157904.tif 000007
【図６】
2020157904.tif 000008
【図７】
2020157904.tif 000009
【図８】
2020157904.tif 000010
【図９】
2020157904.tif 000011
【図１０】
2020157904.tif 000012
【図１１】
2020157904.tif 000013
【図１２】
2020157904.tif 000014
【図１３】
2020157904.tif 000015
【図１４】
2020157904.tif 000016
【図１５】
2020157904.tif 000017
【図１６】
2020157904.tif 000018
【図１７】
2020157904.tif 000019
【図１８】
2020157904.tif 000020
【図１９】
2020157904.tif 000021
【図２０】
2020157904.tif 000022
【図２１】
2020157904.tif 000023
【図２２】
2020157904.tif 000024
【図２３】
2020157904.tif 000025
【図２４】
2020157904.tif 000026
【図２５】
2020157904.tif 000027
【図２６】
2020157904.tif 000028
【図２７】
2020157904.tif 000029
【図２８】
2020157904.tif 000030
【図２９】
2020157904.tif 000031
【図３０】
2020157904.tif 000032
【図３１】
2020157904.tif 000033
【図３２】
2020157904.tif 000034
【図３３】
2020157904.tif 000035
【図３４】
2020157904.tif 000036
【図３５】
2020157904.tif 000037
【図３６】
2020157904.tif 000038
【図３７】
2020157904.tif 000039
【図３８】
2020157904.tif 000040
【図３９】
2020157904.tif 000041
【図４０】
2020157904.tif 000042
【図４１】
2020157904.tif 000043
【国際調査報告】
2020157904.tif 000044
2020157904.tif 000045
2020157904.tif 000046
2020157904.tif 000047